(57)【要約】【課題】通話に係る複数の端末装置それぞれの位置に関する情報を、通話内容に関連付け得て分かり易く提示する技術を提供する。【解決手段】管理装置１００は、通話に係る複数の端末装置それぞれについて、端末装置の位置情報を取得する位置情報取得部３０と、通話の音声を含む通話データを取得する通話情報取得部３１と、位置情報取得部３０で取得された位置情報をもとに複数の端末装置それぞれの通話期間における移動軌跡を第１の表示形態で画面に表示するための表示制御データを作成する処理部１３と、通話情報取得部３０で取得された通話データを再生する再生部３３とを備え、処理部１３は再生される通話データの開始時点からの経過時間に応じて複数の端末装置それぞれの位置を示す第１の図形を移動軌跡上に重畳させる。【選択図】図２
2020123133.tif 000002
【特許請求の範囲】
【請求項１】
通話に係る複数の端末装置それぞれについて、端末装置の位置情報を取得する位置情報取得部と、
前記通話の音声を含む通話データを取得する通話情報取得部と、
前記位置情報取得部で取得された位置情報をもとに、前記複数の端末装置それぞれの通話期間における移動軌跡である第１の移動軌跡を第１の表示形態で第１の画面領域に表示するための表示制御データを作成する処理部と、
前記通話情報取得部で取得された通話データを再生する再生部と、
を備え、
前記処理部は、前記再生部において再生される通話データの通話開始時点からの経過時間に応じて、前記複数の端末装置それぞれの位置を示す第１の図形の座標を決定し、第１の図形を第１の移動軌跡に重畳して表示するための表示制御データを作成する、
ことを特徴とする情報処理装置。
【請求項２】
前記処理部は、前記複数の端末装置それぞれについて、通話の通話終了後の所定期間における移動の軌跡である第２の移動軌跡を第２の表示形態で表示するための表示制御データを作成する、
ことを特徴とする請求項１に記載の情報処理装置。
【請求項３】
前記処理部は、画面上に第１の移動軌跡を表示させた場合の長さが第１の所定値未満である場合に、第１の画面領域における縮尺よりも大きい縮尺で、第１の画面領域よりも面積の小さい第２の画面領域に第１の移動軌跡を表示し、かつ第２の画面領域を第１の画面領域の一部に重ねて表示するための表示制御データを作成する、
ことを特徴とする請求項１または２に記載の情報処理装置。
【請求項４】
前記処理部で決定された第１の図形の座標を変更するための操作を受け付ける操作部をさらに備え、
前記再生部は、前記操作部で受け付けた操作により変更された第１の図形の座標に基づいて、通話データの再生箇所を変更する、
ことを特徴とする請求項１から請求項３のいずれか１項に記載の情報処理装置。
【請求項５】
前記処理部は、画面上に第１の移動軌跡を表示させた場合の長さが第２の所定値以上である場合に、第１の移動軌跡を表示し、前記長さが第２の所定値未満である場合に、端末装置が停止していることを示す所定の形状の第２の図形を表示するための表示制御データを作成する、
ことを特徴とする請求項１から請求項４のいずれか１項に記載の情報処理装置。
【請求項６】
通話に係る複数の端末装置それぞれについて、端末装置の位置情報を取得するステップと、
前記通話の音声を含む通話データを取得するステップと、
前記取得された位置情報をもとに、前記複数の端末装置それぞれの通話期間における移動軌跡である第１の移動軌跡を第１の表示形態で第１の画面領域に表示するための表示データを作成するステップと、
前記取得された通話データを再生するステップと、
を含み、
前記作成するステップは、前記再生される通話データの通話開始時点からの経過時間に応じて、前記複数の端末装置それぞれの位置を示す第１の図形の座標を決定し、第１の図形を第１の移動軌跡に重畳して表示するための表示データを作成する、
ことを特徴とする情報処理方法。
【請求項７】
コンピュータに、
通話に係る複数の端末装置それぞれについて、端末装置の位置情報を取得するステップと、
前記通話の音声を含む通話データを取得するステップと、
前記取得された位置情報をもとに、前記複数の端末装置それぞれの通話期間における移動軌跡である第１の移動軌跡を第１の表示形態で第１の画面領域に表示するための表示データを作成するステップと、
前記取得された通話データを再生するステップと、
を実行させるプログラムであって、
前記作成するステップは、前記再生される通話データの通話開始時点からの経過時間に応じて、前記複数の端末装置それぞれの位置を示す第１の図形の座標を決定し、第１の図形を第１の移動軌跡に重畳して表示するための表示データを作成する、
ことを特徴とするプログラム。
【発明の詳細な説明】
【技術分野】
【０００１】
本発明は、情報処理装置、情報処理方法およびプログラムに関する。
【背景技術】
【０００２】
従来、携帯電話やインターネット端末など、複数の通信端末が同時に相互通信を行う技術が普及している。また通信データとして、音声データだけではなく、通信端末の位置を示す位置データも利用する技術が提案されている。
【０００３】
特許文献１に係るサービス提供システムにおいては、ネットワークに接続可能なユーザ端末において記録されたデジタルデータと、記録された位置情報が時間の経過に沿ってまとめられた移動経路情報とを用いて、地図上にユーザ端末の現在位置を示すアイコンを時間の経過に連動して経路上で移動させるとともに、その位置で記録されたデジタルデータが自動的に再生される「経路連動データ再生コンテンツ」を、自動生成する技術を開示している。
【先行技術文献】
【特許文献】
【０００４】
【特許文献１】特開２００４−３４１８３５号公報
【発明の概要】
【発明が解決しようとする課題】
【０００５】
しかしながら、特許文献１に記載の技術では、１つの端末装置の移動経路を表示することができるが、複数の端末装置によって行われる通話を考慮していない。従って、特許文献１に記載の技術では、通話に係る複数の端末装置それぞれの位置の変化を、通話の音声に関連付けて提示することはできなかった。
【０００６】
本発明は、このような背景の下に行われたものであって、通話に係る複数の端末装置それぞれの位置に関する情報を、通話内容に関連付けて分かり易く提示する技術を提供することを目的とする。
【課題を解決するための手段】
【０００７】
上記課題を解決するために、本発明の一態様の情報処理装置は、通話に係る複数の端末装置それぞれについて、端末装置の位置情報を取得する位置情報取得部と、前記通話の音声を含む通話データを取得する通話情報取得部と、前記位置情報取得部で取得された位置情報をもとに、前記複数の端末装置それぞれの通話期間における移動軌跡である第１の移動軌跡を第１の表示形態で第１の画面領域に表示するための表示制御データを作成する処理部と、前記通話情報取得部で取得された通話データを再生する再生部と、を備える。前記処理部は、前記再生部において再生される通話データの通話開始時点からの経過時間に応じて、前記複数の端末装置それぞれの位置を示す第１の図形の座標を決定し、第１の図形を第１の移動軌跡に重畳して表示するための表示制御データを作成する。
【０００８】
本発明の別の態様は、情報処理方法である。この方法は、通話に係る複数の端末装置それぞれについて、端末装置の位置情報を取得するステップと、前記通話の音声を含む通話データを取得するステップと、前記取得された位置情報をもとに、前記複数の端末装置それぞれの通話期間における移動軌跡である第１の移動軌跡を第１の表示形態で第１の画面領域に表示するための表示データを作成するステップと、前記取得された通話データを再生するステップと、を含む。前記作成するステップは、前記再生される通話データの通話開始時点からの経過時間に応じて、前記複数の端末装置それぞれの位置を示す第１の図形の座標を決定し、第１の図形を第１の移動軌跡に重畳して表示するための表示データを作成する。
【０００９】
本発明の別の態様は、プログラムである。このプログラムは、コンピュータに、通話に係る複数の端末装置それぞれについて、端末装置の位置情報を取得するステップと、前記通話の音声を含む通話データを取得するステップと、前記取得された位置情報をもとに、前記複数の端末装置それぞれの通話期間における移動軌跡である第１の移動軌跡を第１の表示形態で第１の画面領域に表示するための表示データを作成するステップと、前記取得された通話データを再生するステップと、を実行させる。前記作成するステップは、前記再生される通話データの通話開始時点からの経過時間に応じて、前記複数の端末装置それぞれの位置を示す第１の図形の座標を決定し、第１の図形を第１の移動軌跡に重畳して表示するための表示データを作成する。
【発明の効果】
【００１０】
本発明により、通話に係る複数の端末装置それぞれの位置に関する情報を、通話内容に関連付けて分かり易く提示することができる。
【図面の簡単な説明】
【００１１】
【図１】本発明のシステム構成を示す図である。
【図２】本発明の管理装置の機能ブロックを示す図である。
【図３】本発明の実施の形態１および２に係る端末装置の機能ブロックを示す表である。
【図４】本発明の管理装置が記憶する位置情報データベースの形式を示す図である。
【図５】本発明の管理装置が記憶する通話情報データベースの形式を示す図である。
【図６】実施の形態１に係る通話情報および位置情報を表示するメイン画面の表示例を示す図である。
【図７】管理装置における表示制御データ作成処理の手順を示すフローチャートである。
【図８】管理装置における移動軌跡データ作成処理の詳細手順を示すフローチャートである。
【図９】管理装置における通話音声再生処理の手順を示すフローチャートである。
【図１０】実施の形態１に係るメインウィンドウに含まれる位置情報パネルの表示例を示す図である。
【図１１】実施の形態１に係るメインウィンドウの別の表示例を示す図である。
【図１２】実施の形態２に係る位置情報パネルにおいて、方法１によりサブウィンドウを、表示する例を示す図である。
【図１３】実施の形態２に係る位置情報パネルにおいて、方法２によりサブウィンドウを表示する例を示す図である。
【図１４】実施の形態２に係る位置情報パネルにおいて、１つのサブウィンドウに複数の端末装置の情報を表示する例を示す図である。
【図１５】実施の形態２に係る位置情報パネルにおいて、通話音声再生中のサブウィンドウの表示例を示す図である。
【図１６】実施の形態２の変形例に係る位置情報パネルの表示例を示す図である。
【図１７】本発明の実施の形態３に係る端末装置の機能ブロックを示す図である。
【図１８】実施の形態３に係る位置情報パネルの表示例を示す図である。
【図１９】実施の形態３に係る位置情報パネルの別の表示例を示す図である。
【発明を実施するための形態】
【００１２】
説明の明確化のため、以下の記載および図面は、適宜、省略、および簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。従って、これらの機能ブロックがハードウェアのみ、ソフトウェアのみ、又はそれらの組合せによっていろいろな形で実現できることは当業者には理解されるところであり、いずれかに限定されるものではない。よって、以下の説明に回路として例示した構成は、ハードウェア又はソフトウェアのいずれか又はその両方によって実現することが可能であり、ある機能を実現する回路として示された構成は、同様の機能を実現するソフトウェアの一部としても示され得る。例えば、制御回路と記載された構成は、制御部として記載され得る。なお、各図面において、同一の要素には同一の符号が付されており、必要に応じて重複説明は省略されている。
【００１３】
また、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体によってコンピュータに供給されてもよい。一時的なコンピュータ可読媒体の例は、電気信号、光信号、および電磁波を含む。一時的なコンピュータ可読媒体は、電線および光ファイバ等の有線通信路、又は無線通信路を介して、プログラムをコンピュータに供給できる。
【００１４】
＜実施の形態１＞
以下、図面を参照して本発明の実施の形態について説明する。図１は実施の形態１の通信システム８００全体の構成を示す図である。通信システム８００は、管理装置１００と、ネットワーク９００を介して接続された１台以上の基地局装置３００と、各基地局装置３００に接続された複数の端末装置２００とによって構成される。図１には複数の端末装置が図示されているが、それらを総称して端末装置２００と称する。また複数の基地局装置についても同様に、それらを総称して基地局装置３００と称する。
【００１５】
本実施の形態における通信システム８００では、２つの端末装置２００間で行われる二者間通話（個別通話）、および３つ以上の端末装置２００間で行われるグループ通話（グループコール）の２種類の通話が行われるものとするが、どちらか一方の通話のみを行う通信システムであってもよい。なお、二者間通話を個別通話あるいは個別コールと呼ぶ場合もある。例えば、携帯電話システムやインターネット通信システムや業務用無線システムなどの通信システムにおいて、本発明を実施することができる。管理装置１００は各端末装置２００の位置情報および通話情報を記憶し管理する。ネットワーク９００は有線であっても無線であっても良い。
【００１６】
図２は管理装置１００の構成（機能ブロック）を示す図である。管理装置１００は「情報処理装置」とも呼ばれる。管理装置１００は、通信部１１、音声処理部１２、処理部１３、通話データ格納部１４、記憶部１５によって構成されている。通信部１１は、ネットワーク９００から信号（物理信号）を受け取り、物理信号から論理信号を生成し、生成した論理信号を管理装置１００の各部に供給する機能を有する。通信部１１は、端末装置２００からの通信データ、および位置情報データを取得し、記憶部１５に供給する。記憶部１５は、位置情報データベース（位置情報ＤＢ）２０、通話情報データベース（通話情報ＤＢ）２１、地図データベース（地図ＤＢ）２２を記憶する記憶装置である。記憶部１５は、例えば、ＳＤＲＡＭ（Synchronous Dynamic Random Access Memory）などの揮発性メモリ、もしくは、フラッシュメモリ、ＳＳＤ（Solid State Drive）、ＨＤＤ（Hard  Disk  Drive）などの不揮発性メモリ、又はこれらの組合せにより構成される。処理部１３は、位置情報取得部３０と、通話情報取得部３１と、地図情報取得部３２と、再生部３３とを含む。位置情報取得部３０を第１の取得部、通話情報取得部３１を第２の取得部、地図情報取得部３２を第３の取得部と呼ぶ場合もある。また、管理装置１００には、入力装置１６と、表示装置１７と、音声入力装置１８と、音声出力装置１９とが接続される。これらは、管理装置１００に内蔵されていてもよい。入力装置１６は、例えばキーボード、マウスなどである。表示装置１７は、例えば液晶表示装置であるが、それに限らずメガネ型ディスプレイやプロジェクタ等であってもよい。また、入力装置１６と表示装置１７の機能を兼ね備えるタッチパネル等のデバイスを用いてもよい。音声入力装置１８は、例えばマイクである。音声出力装置１９は、例えばスピーカ、ヘッドホン、イヤホン等である。音声処理部１２は、処理部１３の制御に従って、音声通話に必要な信号処理を行う。例えば、音声入力装置１８から音声信号を受け取り、Ａ／Ｄ変換処理、符号化（エンコード）処理などを行う。また、通信部１１で受信された音声データや再生部３３で指定された音声データの復号（デコード）処理、Ｄ／Ａ変換処理などを行う。
【００１７】
本実施の形態では、管理装置１００が音声通話の機能を持つものとして説明するが、音声通話の機能を持たなくてもよく、この場合は音声入力装置１８を省略することができる。また、地図ＤＢ２２は管理装置１００の記憶部１５に格納していなくてもよく、必要に応じて外部の装置から通信部１１を介して必要な地図データを取得するようにしてもよい。管理装置１００は移動可能であってもよく、この場合は管理装置１００にも端末装置２００と同様に位置情報検出部（図示せず）を用意し、自装置の位置情報を検出する。管理装置１００が位置情報検出部を備える場合、管理装置１００は端末装置２００と同じ機能を有するものともいえる。
【００１８】
図３は、本実施の形態における端末装置２００の構成（機能ブロック）を示す図である。端末装置２００は、基地局装置３００を介した無線通信により、他の端末装置２００または管理装置１００と通話をする機能を有している。端末装置２００は、通信部５１、音声処理部５２、操作部５３、制御部５４、音声入力部５５、音声出力部５６、位置情報検出部５７、記憶部５８、表示部５９によって構成されている。通信部５１は、無線により基地局装置３００との間でデータを送受信する。操作部５３は、ユーザの操作を受け付けるための各種ボタンやキーを備える。表示部５９は、例えば液晶表示装置であるが、それに限らずメガネ型ディスプレイ等であってもよい。また、操作部５３と表示部５９の機能を兼ね備えるタッチパネル等のデバイスを用いてもよい。位置情報検出部５７はＧＰＳ（Global Positioning System）、無線ＬＡＮ（Local Area Network）のアクセスポイント、または基地局装置などを利用して、自装置の位置情報を検出する。検出した位置情報は通信部５１によって基地局装置３００へ送信される。音声処理部５２は、制御部５４の制御に従って、音声通話に必要な信号処理を行う。端末装置２００は、音声処理部５２とマイクなどの音声入力部５５、スピーカなどの音声出力部５６を使用して、他の端末装置２００および管理装置１００と音声通話が可能である。なお後述するように、端末装置２００は、音声通話に限らず、映像通話（ビデオ通話）を行ってもよい。この場合、端末装置２００は、カメラ等の映像入力部と、映像信号の圧縮、伸長、変換等を行う映像処理部をさらに備える。端末装置２００は、例えば、業務用無線端末、携帯電話、スマートフォン、タブレット端末、又はラップトップ型コンピュータなどの通信機能を有する端末装置である。なお、端末装置２００は、ドローン、自動車、航空機、又は船舶などの通信機能を有する移動体に組み込まれていてもよい。また端末装置２００は、腕時計状、メガネ状、衣服状などの通信機能を持つウェアラブルデバイスであってもよい。
【００１９】
端末装置２００は、定期的あるいは不定期に、位置情報検出部５７で検出した自装置の位置情報を、検出した日時とともに通信部５１を介して基地局装置３００経由で管理装置１００に送信する。例えば通話中および通話終了から所定の時間において、位置情報を管理装置１００に送信する頻度を高くするようにしてもよい。また、端末装置２００の記憶部５８に一定期間の位置情報及び位置情報の検出日時を記憶し、後からまとめて管理装置１００に送信してもよい。例えば、通話期間中に位置情報を送信できない通信システムの場合は、通話期間中の位置情報を端末装置の記憶部５８に記憶しておき、通話終了後に記憶した位置情報を一括して管理装置１００に送ればよい。
【００２０】
管理装置１００は、端末装置２００から送信された位置情報を、通信部１１を介して基地局装置３００経由で受信し、位置情報ＤＢ２０に記憶する。図４は、管理装置１００の記憶部１５に記憶される位置情報ＤＢ２０のデータ形式を示す図である。各端末装置２００を特定する端末ＩＤ（Identification）と、端末装置２００が位置情報を測定した日時（測定日時）と、位置情報とを対応付けて記憶する。（端末ＩＤ、日時）の組み合せが、このデータベーステーブルの主キーである。日時は、端末装置２００が位置情報検出部５７を用いて自装置の位置を測定（検出）した日時である。本図では、「年／月／日  時：分：秒」の単位で記録している。なお、測定日時に限らず、端末装置２００が位置情報を送信した送信日時、または管理装置１００が位置情報を受信した受信日時を位置情報ＤＢの「日時」フィールドに記憶してもよい。このような測定日時、送信日時、受信日時を総称して、「位置情報に係る日時」または「位置情報に係る時点」と称する。また、本実施の形態では特定の時点を表現する用語として「日時」を用いるが、必ずしも日付の情報を含まなくてもよい。また本実施の形態において、時刻および時間の単位は「時：分：秒」とするが、ミリ秒などの単位を用いてもよい。位置情報は、少なくとも緯度、経度を含むが、そのほかに高度、移動速度、移動方向、加速度などの情報を含んでもよい。本図において、「Ｎ１」、「Ｎ２」、「Ｎ３」等は各地点の緯度を、「Ｅ１」、「Ｅ２」、「Ｅ３」等は各地点の経度を表している。緯度、経度の単位は、「度、分、秒、ミリ秒」などであるが、任意の単位を用いることができる。
【００２１】
図４の例では位置情報ＤＢ２０に記憶された情報の一部だけを示している。なお、位置情報ＤＢ２０に管理装置１００の位置情報を記録してもよい。管理装置１００の位置が固定されている場合には、その位置情報（緯度、経度）を１つの行に記録するか、あるいは日時と対応付けて定期的に記録すればよい。管理装置１００が移動可能である場合には、管理装置１００の位置情報が変更されるごとに記録するか、あるいは定期的に記録すればよい。
【００２２】
図５は、記憶部１５に記憶される通話情報ＤＢ２１のデータ形式を示す図である。処理部１３が通話ごとに通話ＩＤ、グループＩＤ、発信端末ＩＤ、受信端末ＩＤ、通話開始日時、通話終了日時、通話時間、通話データ本体（通話の音声データ）のＵＲＬ（Uniform Resource Locator）などを対応付けて記憶する。これらは、通話属性情報（通話属性データ）とも呼ばれる。本実施の形態における通話は、半二重通話であっても、全二重通話であってもよい。通話ＩＤは、通話を一意に識別する情報である。つまり、通話ＩＤはこのデータベーステーブルの主キーである。通話ＩＤを通話識別子と称することもある。グループＩＤは、通話グループを識別する情報であり、グループ識別子またはＧＩＤと呼ばれることもある。通話グループは、グループ通話を行うグループである。グループＩＤは、二者間通話である場合には、グループではないことを示す所定の値、例えば「０」となる。すなわち、通話情報ＤＢ２１のグループＩＤのフィールドを確認することにより、ある通話が二者間通話であるかグループ通話であるかを判別できる。発信端末ＩＤは、通話を発信（発呼）した端末装置２００の識別子である。例えば、端末装置２００が携帯電話であれば、電話番号を指定して相手を呼び出した端末であり、業務用無線端末であれば、ＰＴＴ（Push To Talk）ボタンを押して送信した端末である。本実施の形態において、１つの通話の発信端末は１つである。受信端末ＩＤは、通話を受信した端末装置２００の識別子である。グループ通話の場合、受信端末ＩＤは、複数になる。例えば、図５において、通話ＩＤ「１００」は二者間通話であり、受信端末ＩＤは「１２」だけであるが、通話ＩＤ「１０１」はグループ通話であり、「１１、１２、１３、１４」という４つの受信端末ＩＤが記録されている。なお、二者間通話とグループ通話を区別する情報（通話種別）を更に通話情報ＤＢ２１に記録してもよい。また、グループ通話の場合に、受信端末ＩＤのフィールドにグループＩＤを記録してもよい。その場合には、グループに属する端末装置２００の一覧情報、すなわちグループＩＤと端末ＩＤとを対応付けたテーブル（図示せず）を用意し、グループに属する端末装置２００の中で、発信端末ＩＤを除く端末ＩＤを受信端末ＩＤとして扱えばよい。通話データ本体は、音声データであっても、映像データであってもよい。本実施の形態では、通話データ本体は音声データであるとして説明する。音声データは、バイナリデータ形式またはファイル形式で記憶されるデジタル音声信号であり、非圧縮データであっても、音声圧縮技術を用いて圧縮された圧縮データであってもよい。
【００２３】
なお、本実施の形態では、管理装置１００も通話機能（発信および受信機能）を持つものとする。また以下の説明において、管理装置１００の端末ＩＤは「５０」であるものとする。従って、図５の１行目における発信端末ＩＤ「５０」は、管理装置１００が発信した通話であることを示す。通話開始日時および通話終了日時は、「年／月／日  時：分：秒」の単位で記録されている。通話時間は、通話開始日時から通話終了日時までの時間であり、１回の通話が継続していた時間である。本図に示す例では、「時：分：秒」の単位で記録されている。また本図に示す例では、通話が継続中である場合（通話が終了していない場合）、通話終了日時をＮＵＬＬデータとして示している。また、通話が継続中であっても、通話が開始されてから現在時刻までの経過時間を通話時間として記録している。例えば、図５の３行目のデータは、「２０１８／１０／０１ １０:１０:１０」に通話が開始されて、現在までに１５分間通話が継続していることを示している。また、継続中の通話に関して、ＮＵＬＬの代わりに現在日時を更新しながら通話終了日時に記録してもよい。あるいは、通話終了日時および通話時間を記録せず、通話が終了した後にこれらを記録するようにしてもよい。例えば、通話時間は、携帯電話システムでは、通話が開始されてから（呼が確立してから）、発信端末または受信端末のいずれかが通話を切断する（呼が切断される）までの時間に相当し、業務用無線システムでは、ユーザがＰＴＴボタンを押している時間に相当する。
【００２４】
管理装置１００は基地局装置３００から、端末装置間の通話データを受信し、通話ＩＤと通話データ本体のＵＲＬとを対応付けて格納する。音声データなどの通話データ本体は、通話データ格納部１４にバイナリデータあるいはファイルとして格納されてもよいし、別の装置に格納されてもよい。その格納場所は通話データ本体のＵＲＬにより示される。あるいは、通話データ本体のＵＲＬを格納せずに、通話ＩＤと通話データ本体とを直接対応付けてもよい。つまり、通話情報ＤＢ２１の中に、バイナリデータである通話データ本体を格納してもよい。本実施の形態における通話データ（通話データ本体）は、音声データ（デジタル音声信号）であるが、映像データであってもよい。音声データは非圧縮データであっても、音声圧縮技術を用いて圧縮された圧縮データであってもよい。なお、継続中の通話については、通話が開始されてから、現在までに取得できたデータが格納される。
【００２５】
次に、本実施の形態における管理装置１００が、表示装置１７に表示させる表示画面について説明する。図６は、通話情報および位置情報を表示する画面ｄ１００の一例を示す図である。画面ｄ１００を「メインウィンドウ」あるいは「メイン画面」あるいは「通話位置情報画面」と呼ぶ場合もある。本図において画面ｄ１００は、画面上部の「通話リスト（通話リスト領域）」ｄ１１０、その下に位置する「再生制御パネル（再生制御領域）」ｄ１２０、画面下部の「位置情報パネル（位置情報領域）」ｄ１３０という３つの領域で構成されている。画面上部の通話リストｄ１１０には、過去および現在継続中の通話の一覧が表示されており、ユーザは「通話リスト」ｄ１１０の中から、端末装置２００の位置情報を表示したい対象の通話を１つ以上選択する（指定する）。上述したように、通話情報ＤＢ２１は、２つの端末装置２００による二者間通話、および３つ以上の端末装置２００によるグループ通話の少なくとも一方の通話の通話情報を格納している。処理部１３の通話情報取得部３１は、通話情報ＤＢ２１から必要な通話属性情報を取得し、通話リストｄ１１０を作成する。本図における通話リストｄ１１０は、通話情報ＤＢ２１に格納された通話情報を通話開始日時が新しい順に所定数表示した例である。グループＩＤは、グループ通話がなされた場合の通話グループを識別する情報であり、二者間通話の場合は、グループＩＤは「０」として表示されている。図６に示す例では、通話ＩＤ「９７」が選択された状態であり、通話ＩＤ「９７」は、３つの端末装置２００によるグループ通話である。なお、図６に示す例では、表示されている全ての通話が終了しているが、現在継続中の通話が通話リストｄ１１０に表示される場合もある。その場合は、通話終了日時が「ＮＵＬＬ」と表示されるため、ユーザは通話が継続中であるか終了しているかを容易に判別できる。更に、通話リストｄ１１０において、継続中の通話と終了した通話とをそれぞれ異なる表示形態で表示してもよい。
【００２６】
通話リストｄ１１０から１または複数の通話が選択されると、処理部１３は、選択された通話を処理対象とし、選択された通話に係る端末装置２００それぞれについて、位置情報を表示する処理を行う。すなわち、位置情報パネルｄ１３０を表示するための処理を行う。
【００２７】
図７は、本実施の形態における位置情報表示に係る処理を説明するためのフローチャートである。
【００２８】
ステップＳ１００において、通話情報取得部３１は、通話情報ＤＢ２１から通話リストｄ１１０で選択された通話に関するデータを取得する。具体的には、選択された通話ＩＤに関するグループＩＤ、発信端末ＩＤ、受信端末ＩＤ、通話開始日時、通話終了日時、通話データ本体のＵＲＬなどの通話属性情報（通話属性データ）を通話情報ＤＢ２１から読み出す。通話リストｄ１１０で複数の通話が選択された場合には、選択された通話全てに関するデータを取得する。なお、通話リストｄ１１０を作成する際に、通話情報ＤＢ２１から取得した通話属性データを通話情報取得部３１で保持しており、かつ保持している通話属性データが十分な情報を含んでいる場合には、そのデータを利用してもよい。また、管理装置１００は必ずしも通話情報ＤＢ２１を記憶する必要はなく、他の装置に通話情報ＤＢが記憶されていてもよい。その場合、通話情報取得部３１は通話情報ＤＢを記憶する他の装置から必要なデータを取得すればよい。記憶部１５は、管理装置１００の外部にあってもよい。
【００２９】
次にステップＳ１１０において、位置情報取得部３０は、位置情報ＤＢ２０から通話リストｄ１１０で選択された通話に係る端末装置２００の位置情報を取得する。具体的には、位置情報ＤＢ２０の端末ＩＤフィールドがステップＳ１００で取得した端末装置２００の端末ＩＤに一致し、かつ、位置情報ＤＢ２０の日時フィールドが所定の条件を満たすデータを位置情報ＤＢ２０から読み出す。ここでは、位置情報ＤＢ２０の端末ＩＤが、通話情報ＤＢ２１の発信端末ＩＤまたは受信端末ＩＤに一致するデータを特定する。また所定の条件を満たすデータとは、例えば、位置情報ＤＢ２０の日時フィールドが、処理対象の通話の通話開始日時以降であり、かつ処理対象の通話の通話終了日よりも第１の所定時間だけ後の時刻までのデータである。例えば、処理対象の通話の通話開始日時が「２０１８／１０／０１ ０９:４８:２２」であり、通話終了日時が「２０１８／１０／０１ ０９:５１:２２」である場合、第１の所定時間を「１分間」とし、通話終了日時から１分が経過した時刻「２０１８／１０／０１ ０９:５２:２２」を算出し、位置情報ＤＢ２０の日時フィールドが「２０１８／１０／０１ ０９:４８:２２」から「２０１８／１０／０１ ０９:５２:２２」までという抽出条件を用いてデータを取得する（抽出する）。あるいは、通話開始日時よりも第２の所定時間（例えば、３０秒）だけ前の時刻を算出し、その時刻から、通話終了日時より第１の所定時間だけ後の時刻までのデータを取得してもよい。通話リストｄ１１０で複数の通話が選択された場合には、選択された通話それぞれについて、抽出条件となる開始日時と終了日時を算出すればよい。なお、管理装置１００は必ずしも位置情報ＤＢ２０を記憶する必要はなく、他の装置に位置情報ＤＢが記憶されていてもよい。その場合、位置情報取得部３０は位置情報ＤＢを記憶する他の装置から必要なデータを取得すればよい。
【００３０】
次に、ステップＳ１２０において、処理部１３は、位置情報パネルｄ１３０における出力範囲（出力する緯度および経度の範囲）と縮尺を決定する。具体的には、処理部１３は、ステップＳ１１０で読み込んだ位置情報データから、最大緯度、最小緯度、最大経度、最小経度を算出する。そして、処理部１３は、所定値α、β（α≧０、β≧０）を用いて、（最小経度−α、最大経度＋α）を経度出力範囲とし、（最小緯度−β、最大緯度＋β）を緯度の出力範囲とし、これらが表示装置１７の画面の所定領域に収まるように縮尺を決める。このような出力範囲と縮尺を決めることにより、通話リストｄ１１０で選択した通話に係る全ての端末装置２００の移動軌跡を位置情報パネルｄ１３０に表示できるため、管理装置１００のユーザは、関心のある通話に係る全ての端末装置２００の状況を把握し易い。ただし、選択された通話に係る全ての端末装置２００の位置を１つの画面に表示する必要がない場合は、他の方法で出力範囲と縮尺を決定し、通話リストｄ１１０で選択された通話に係る一部（ただし複数）の端末装置２００の位置情報のみを位置情報パネルｄ１３０に表示してもよい。
【００３１】
ステップＳ１３０において、処理部１３は、各端末装置２００の通話期間に相当する移動軌跡（第１の移動軌跡）を描画するためのデータ（第１の移動軌跡データ）を作成する。ステップＳ１３０の処理の詳細については後述する。処理部１３は、第１の移動軌跡が第１の表示形態で表示されるように、第１の移動軌跡データを作成する。第１の表示形態としては、例えば、白抜き（背景が白）の矢印線を用いる。なお、複数の通話が指定された場合には、通話を容易に区別できるように表示形態を変えることが望ましい。例えば、３つの通話が指定された場合、第１の通話に対応する図形（矢印線）の輪郭部分（輪郭線）を「赤」とし、第２の通話に対応する図形の輪郭部分（輪郭線）を「緑」にし、第３の通話に対応する図形の輪郭部分（輪郭線）を「青」にする等、通話ＩＤに応じて、表示色を変える。また、通話に対応する図形の近くに通話ＩＤを示す文字列を表示してもよい。
【００３２】
ステップＳ１４０において、処理部１３は、各端末装置２００の通話終了時点から所定時間（所定期間）経過後までの移動軌跡（第２の移動軌跡）を描画するためのデータ（第２の移動軌跡データ）を作成する。この所定時間としては、例えば、「３０秒」、「１分間」などとあらかじめ定められた時間にすればよい。あるいは、通話時間と同じ時間（１倍）、通話時間の１／２倍、通話時間の１／３倍など通話時間を基準にした相対時間により所定時間を決定してもよい。処理部１３は、第２の移動軌跡が第１の表示形態とは異なる第２の表示形態で表示されるように、第２の移動軌跡データを作成する。第２の表示形態としては、例えば、斜線パターンで塗られた矢印を用いる。なお、通話リストｄ１１０で複数の通話が選択された場合には、第１の移動軌跡と同様に、通話を容易に区別できるように、通話ごとに表示形態を変えることが望ましい。
【００３３】
次に、ステップＳ１５０において、処理部１３は、ステップＳ１３０およびＳ１４０で生成した移動軌跡データと地図データとを合成する。具体的には、まず地図情報取得部３２が、ステップＳ１２０で決定された出力範囲（緯度、経度）に該当する地図データを記憶部１５に格納されている地図ＤＢ２２から取得する。次に、処理部１３は、ステップＳ１２０で決定された縮尺に従って、取得した地図データを出力する画面上の座標に対応させる。そして、処理部１３は、ステップＳ１３０で生成した通話期間に対応する第１の移動軌跡データと、ステップＳ１４０で生成した通話後の所定期間に対応する第２の移動軌跡データと、地図データとを合成（重畳）して、それらを画面に表示するためのデータ（表示制御データ、表示制御情報）を作成する。ただし、移動軌跡を必ずしも地図に重畳して表示する必要はなく、地図を用いずに移動軌跡（移動情報）を画面に表示することも可能である。移動軌跡の形状や、複数の移動軌跡の長さの違いを確認するのが目的であれば、地図に重畳しない表示でも目的を達成できる。この場合は、ステップＳ１５０を省略できる。
【００３４】
ステップＳ１６０において、処理部１３は、ステップＳ１５０で作成した表示制御データを表示装置１７に出力し、第１および第２の移動軌跡を表示装置１７に表示させる。すなわち、通話に係る端末装置２００の移動情報を画面に表示させる。図６の位置情報パネルｄ１３０は、その表示例である。本図に示す例では、図６の通話リストｄ１１０において、通話ＩＤ「９７」の通話が選択されており、地図上に通話ＩＤ「９７」に係る端末ＩＤ「１」、「２」、「３」の３つの端末装置２００それぞれについて、第１の移動軌跡と第２の移動軌跡を表示している。丸型および四角形のアイコンは、通話における端末装置２００の役割（種別）を示すアイコンであり、端末種別アイコンとも呼ばれる。端末種別アイコンは、発信端末と受信端末とを容易に判別可能なように、それぞれ異なる表示形態で表示される。本図の例では、発信端末は丸型のアイコンで示され、受信端末は四角形のアイコンで示される。端末種別アイコンの位置は、通話開始時の端末装置２００の位置を示す。端末種別アイコンの内部の番号は、端末ＩＤを示す。従って例えば、端末種別アイコンｄ１５１は、端末「１」（端末ＩＤが「１」の端末装置２００、以下同様）がこの通話の発信端末であることを示している。端末種別アイコンｄ１５２およびｄ１５３は、四角形であり、内部の番号が「２」および「３」であるため、この通話を受信した（通話呼出しを受けた）端末ＩＤが「２」および「３」であることが分かる。このように、通話を発信した端末装置２００と、通話を受信した端末装置２００とを容易に判別できるように、それぞれ異なる表示形態で表示している。また、白抜き矢印は、通話期間に対応する第１の移動軌跡であり、斜線矢印は、通話後の所定期間に対応する第２の移動軌跡である。例えば、端末「１」の第１の移動軌跡は、白抜き矢印線ｄ１６１であり、端末「１」の第２の移動軌跡は、斜線矢印線ｄ１７１である。
【００３５】
なお、第１の移動軌跡および第２の移動軌跡に加えて、第１の移動軌跡よりも前の非通話期間の移動軌跡や第２の移動軌跡より後の非通話期間の移動軌跡である第３の移動軌跡を表示してもよい。その場合、第３の移動軌跡は、第１の移動軌跡の表示形態および第２の移動軌跡の表示形態とは異なる表示形態で表示することが望ましい。例えば、第３の移動軌跡は、第１および第２の移動軌跡よりも目立たないように、細い点線の矢印線で表示するとよい。図６は、音声データの再生前の状態を示しており、この状態では、まだ端末アイコンを表示していないが、再生前から端末アイコンを表示してもよい。また後述するように、通信部１１を介して、管理装置１００から端末装置２００に表示制御データを出力し、端末装置２００の表示部５９にメインウィンドウｄ１００を表示させることも可能である。
【００３６】
図６に示す例では、第２の移動軌跡の所定期間は、通話時間と同じである。端末「１」の第１の移動軌跡ｄ１６１の形状により、端末「１」は通話の途中までは右向き（東向き）に進行していたが、通話の途中から上向き（北向き）に進行方向を変えていることが分かる。また、第１の移動軌跡ｄ１６１に比べて、第２の移動軌跡ｄ１７１が長いことから、通話終了後に移動速度が上がっていることが分かる。また本図の例では、第１の移動軌跡ｄ１６１の矢印の先端部分よりも、第２の移動軌跡の矢印の先端部分が大きい。これは、第１の移動軌跡における移動速度（第１の速度）よりも、第２の移動軌跡における移動速度（第２の速度）の方が、かなり大きい（速い）ことを示している。例えば、第２の速度が、第１の速度よりも所定値（例えば、２０ｋｍ／ｈ）以上大きい場合、あるいは所定率（例えば、５０％）以上大きい場合に、第２の移動軌跡が強調されるように（目立つように）、第２の移動軌跡の表示形態を変えてもよい。また逆に、第２の速度が、第１の速度よりも所定値（例えば、１０ｋｍ／ｈ）以上小さい場合、あるいは所定率（例えば、３０％）以上小さい場合に、通常の第２の移動軌跡とは異なる表示形態にしてもよい。
【００３７】
端末「２」の第１の移動軌跡ｄ１５２の形状から、端末「２」は通話の途中までは左向き（西向き）に進行していたが、通話の途中から上向き（北向き）に進行方向を変えていることが分かる。また、端末「２」の第２の移動軌跡ｄ１７２を端末「１」の第２の移動軌跡ｄ１７１と比較することにより、端末「１」と比べても、通話終了後の移動速度が更に上がっていることが容易に分かる。端末「３」の第１の移動軌跡ｄ１６３および第２の移動軌跡ｄ１７３の形状から、端末「３」は通話中ずっと右向き（東向き）に移動しており、通話終了後に、上向き（北向き）に移動方向を変えたことが分かる。また、第１の移動軌跡と第２の移動軌跡の長さがほぼ同じであることから、通話中と通話終了後の移動速度は、ほぼ同じであることが分かる。仮に、この３人のユーザがこの通話において、「今から、急いで北部エリアにある×××地点に集合しよう」と合意したとすると、端末ＩＤ「１」と「２」は、通話内容に従って迅速に行動したと言えるが、端末ＩＤ「３」は迅速に行動したとは言えない。ただし、この画面の閲覧者（管理装置１００のユーザ）は通話内容をまだ確認していないので、この時点ではまだ正確な判断は下せない。
【００３８】
図７に戻って説明を続ける。次にステップＳ１７０において、処理部１３は、表示の更新が必要か否かを判定する。具体的には、以下の場合に表示の更新が必要であると判定する。１つ目は、通話リストｄ１１０の選択状態が変化した場合である。例えば、ユーザが新たな通話を選択した場合、あるいは既に選択していた通話の選択を解除した場合等である。２つ目は、現在継続中の通話、または通話終了から第１の所定時間が経過していない通話を表示対象とした場合である。図６に示す通話リストｄ１１０の例においては、表示されている全ての通話の通話終了日時がＮＵＬＬでないので、全ての通話が終了していることを示している。表示時点において継続中の通話が表示対象である場合には、第１および第２の移動軌跡を更新するなど位置情報表示の更新が必要になる。また、表示時点において通話終了から第１の所定時間が経過していない通話が表示対象である場合には、第２の移動軌跡を更新するなど位置情報表示の更新が必要になる。表示の更新が必要である場合（Ｓ１７０：Ｙｅｓ）、ステップＳ１００に戻って処理を繰り返す。表示の更新が必要でない場合（Ｓ１７０：Ｎｏ）、処理を終了する。表示の更新が必要である場合、ステップＳ１００に戻って、処理が繰り返されるため、位置情報パネルｄ１３０が更新される。なお、継続中の通話については、通話終了後に第２の移動軌跡を表示するが、第２の移動軌跡の表示を省略してもよい。また、通話中に端末装置２００が移動した場合、それに伴って第１の移動軌跡（図６のｄ１３０における白抜き矢印線）の先端の位置が移動する（変化する）。例えば、矢印線が伸びる。なお、端末装置２００のユーザが一度来た道を引き返した場合、矢印線を縮めて表示してもよいし、Ｕターンを明示するように往路と復路を表示してもよい。また、継続中の通話の場合、端末装置２００の現在位置を明瞭に示すために、現在位置に対応させて、後述する端末アイコンを表示し、その表示位置を更新してもよい。以上が図７のフローチャートの説明である。
【００３９】
上述の説明では、通話リストｄ１１０で選択された１つまたは複数の通話に係る全ての端末装置２００の位置情報を位置情報パネルｄ１３０に表示したが、これに限らず別の方法を用いてもよい。例えば、端末ＩＤ、端末装置２００の名称や機種名、端末装置２００を使用するユーザのユーザ名などを、管理装置１００のユーザに指定させるためのＵＩ（User Interface）を画面に表示し、指定された条件に合致する端末装置２００の位置情報のみを表示するようにしてもよい。また、表示対象のエリア（緯度、経度の範囲）を、管理装置１００のユーザに指定させるためのＵＩ（ＵＩ部品）を表示し、指定されたエリア内に位置する端末装置２００の位置情報のみを表示してもよい。次に、ステップＳ１３０およびＳ１４０における移動軌跡データ（第１および第２の移動軌跡データ）の作成処理の詳細について、図８のフローチャートを用いて説明する。
【００４０】
ステップＳ２００において、処理部１３は、ステップＳ１００で取得された通話データの中から、処理対象となる通話データを１つ選択する。つまり、処理対象の通話（通話ＩＤ）を１つ選択する。取得された通話データが１つの場合は、それを選択すればよい。複数の通話データが取得された場合（通話リストｄ１１０で複数の通話を選択した場合）は、その中から未処理の通話データを１つ選択すればよい。例えば、通話ＩＤの番号が小さい順に未処理の通話ＩＤを１つ選択すればよい。
【００４１】
次にステップＳ２１０において、処理部１３は、ステップＳ２００で選択された処理対象の通話に係る端末装置２００の中から、処理対象となる端末装置（端末ＩＤ）を１つ選択する。具体的には、通話情報ＤＢ２１において、ステップＳ２００で選択された通話ＩＤに対応する発信端末ＩＤまたは受信端末ＩＤの中から未処理の端末ＩＤを１つ選択する。例えば、最初に発信端末ＩＤを選択し、２回目以降には受信端末ＩＤの番号が小さい順に１つ選択すればよい。
【００４２】
次にステップＳ２２０において、処理部１３は、処理対象の端末装置について、処理対象の通話の通話期間における位置を以下のいずれかの方法で算出する。
【００４３】
（第１の方法）位置情報ＤＢ２１のデータをそのまま使う方法
具体的にはまず、ステップＳ１１０で取得した位置情報データの中から、通話開始日時に最も近い時刻を持つ位置情報データを特定し、その位置を通話開始日時（時点）における位置とする。同様に、通話終了日時に最も近い時刻を持つ位置情報データを特定し、その位置を通話終了日時（時点）における位置とする。さらに、通話開始日時から通話終了日時までの間の位置情報データを特定する。そして特定した位置情報データの位置と、通話が開始されてからの経過時間とを関連付けて記憶部１５に記憶する。あるいは、特定した位置情報データの位置と、位置情報データの日時とを関連付けて記憶部１５に記憶してもよい。この第１の方法は、処理量が少ないというメリットがある。また第１の方法は、位置情報ＤＢ２１における位置情報データの登録頻度が相対的に高い場合に適する。
【００４４】
（第２の方法）位置情報ＤＢ２１のデータを補間して必要な位置を算出する方法
例えば、通話開始日時における位置を算出するために、位置情報データの時刻が通信開始時刻に近い順に所定数（２以上）の位置情報を特定し、その特定した位置情報を用いて補間処理を実行し、通信開始時点における位置を算出する。例えば、通話開始日時が「２０１８年１０月０１日１０時１０分００秒」であり、処理対象端末の位置情報として、「２０１８年１０月０１日１０時０９分３０秒」における地点Ａと「２０１８年１０月０１日１０時１０分３０秒」における地点Ｂが記録されている場合、処理部１３は、２つの位置を線形補間して、地点Ａと地点Ｂの中点を通話開始時点における位置とする。また、「２０１８年１０月０１日１０時０９分４０秒」における地点Ａと「２０１８年１０月０１日１０時１０分４０秒」における地点Ｂが記録されている場合、処理部１３は、通話開始日時との時間差に応じて、地点Ａと地点Ｂを結ぶ線分を１：２に分割する地点（内分点）を通話開始時点における位置とする。また、通話開始日時に近い日時を持つ３個以上の位置情報を用いて、非線形補間を行ってもよい。同様に、通話終了日時における位置を算出する。またさらに、通話開始日時から通話終了日時までの期間において、所定の時間（例えば、１秒）ごとの位置を同様の補間処理によって算出する。そして、算出した位置情報と、通話が開始されてからの経過時間とを関連付けて記憶部１５に記憶する。例えば、通話開始から０秒後、１秒後、２秒後、３秒後、…等の位置を記憶部１５に記憶する。あるいは、算出した位置情報と、通話中の各時点における日時とを関連付けて記憶部１５に記憶してもよい。例えば、「２０１８年１０月０１日  ０９時４８分２２秒」に通話が開始された場合、この日時における位置、「２０１８年１０月０１日  ０９時４８分２３秒」における位置、「２０１８年１０月０１日  ０９時４８分２４秒」における位置、などを記憶部１５に記憶してもよい。第２の方法は、より精度の高い位置情報を算出できるというメリットがある。また、位置情報ＤＢ２１における位置情報データの登録頻度が相対的に低い場合に適する。
【００４５】
次にステップＳ２３０において、処理部１３は、処理対象の端末装置について、第１の移動軌跡（通話期間の移動軌跡）を示すベクトルデータ（線データ）を作成する。このベクトルデータは、第１のベクトルデータとも称される。第１のベクトルデータは、ステップＳ１２０で決定した出力範囲と縮尺に従って、ステップＳ２２０で算出した各々の位置情報（緯度、経度）を出力する画面における座標に変換したものであり、移動軌跡に相当する線分を画面に描画するために必要な座標（Ｘ座標、Ｙ座標による座標点）の集合である。また、このベクトルデータは、移動方向を示すために複数の座標（座標点）の順序情報を持っている。さらに、第１のベクトルデータは、移動軌跡に相当する線分やそれに関連する図形の表示形態（色、パターン、形状、太さ、大きさ等）を決める描画属性情報を持っている。処理部１３は、通話期間に対応する第１のベクトルデータの表示形態として第１の表示形態を用いる。上述したように、ステップＳ２２０で算出した各位置情報は、通話開始からの経過時間または日時（通話中の日時）に関連付けられており、第１のベクトルデータを構成する各点（各座標点）についても、通話開始からの経過時間または日時（通話中の日時）に関連付けて記憶部１５に記憶される。通話開始からの経過時間または日時が上記の順序情報に相当する。なお、本実施の形態において、移動軌跡そのものを移動情報と呼ぶ場合もあるが、移動軌跡と後述するアイコン等を組み合せた情報、すなわち移動軌跡を含む情報を移動情報と呼ぶ場合もある。また、１つの端末装置の移動軌跡（または移動軌跡を含む情報）を移動情報と呼ぶ場合もあるが、複数の端末装置の移動軌跡（または移動軌跡を含む情報）の組合せを移動情報と呼ぶ場合もある。
【００４６】
次にステップＳ２４０において、処理部１３は、処理対象の端末装置について、処理対象の通話の通話終了後の所定期間、すなわち上記の第１の所定時間における位置を算出する。上述したように、所定期間とは、「３０秒」などの所定の時間、あるいは通話時間の「１／２倍」などの通話時間を基準とした相対的な時間である。具体的には、ステップＳ２２０の処理において通話開始日時とした箇所を通話終了日時に変更し、通話終了日時とした箇所を所定期間の終了日時に変更し、上述の２つの方法のいずれかを用いて算出すればよい。そして処理部１３は、算出した位置情報と、通話が開始されてからの経過時間または日時とを関連付けて記憶部１５に記憶する。
【００４７】
次にステップＳ２５０において、処理部１３は、処理対象の端末装置について、第２の移動軌跡（通話後の所定期間における移動軌跡）を示すベクトルデータ（線データ）を作成する。このベクトルデータは、第２のベクトルデータとも称される。第２のベクトルデータは、ステップＳ１２０で決定した出力範囲と縮尺に従って、ステップＳ２４０で算出した各々の位置情報（緯度、経度）を出力する画面における座標に変換したものであり、移動軌跡に相当する線分を画面に描画するために必要な座標（Ｘ座標、Ｙ座標による座標点）の集合である。また、このベクトルデータは、移動方向を示すために複数の座標（座標点）の順序情報を持っている。さらに、第２のベクトルデータは、移動軌跡に相当する線分やそれに関連する図形の表示形態（色、パターン、形状、太さ、大きさ等）を決める描画属性情報を持っている。処理部１３は、通話期間に対応する第２のベクトルデータの表示形態として、第１の表示形態とは異なる第２の表示形態を用いる。第１のベクトルデータと同様に、第２のベクトルデータを構成する各点（各座標点）についても、通話開始からの経過時間または日時に関連付けて記憶部１５に記憶する。
【００４８】
次にステップＳ２６０において、処理部１３は、処理対象の通話に係る端末装置（処理対象の端末装置）全ての処理が完了したか否かを判定する。処理対象の通話に係る全ての端末装置の処理が完了した場合（Ｓ２６０：Ｙｅｓ）、ステップＳ２７０に進み、そうでない場合（Ｓ２６０：Ｎｏ）、ステップＳ２１０に戻って処理を繰り返す。ステップＳ２７０において、処理部１３は、通話リストｄ１１０で選択された全ての通話の処理、つまり必要な処理が完了したか否かを判定する。必要な処理が完了した場合（Ｓ２７０：Ｙｅｓ）、処理を終了し、そうでない場合（Ｓ２７０：Ｎｏ）、ステップＳ２００に戻って処理を繰り返す。以上が図８のフローチャートの説明である。
【００４９】
位置情報パネルｄ１３０の表示処理が完了すると、管理装置１００のユーザは通話の音声を再生することが可能になる。ユーザが入力装置１６を介して所定の操作を実行することにより、通話音声が再生される。所定の操作のうちの１つの操作は、図６に示す再生制御パネルｄ１２０の「再生ボタン」を押す操作である。図６に示すように再生制御パネルｄ１２０には、「早戻し」、「再生」、「早送り」、「停止」、「一時停止」等の再生制御ボタンが表示されている。ユーザが通話音声を再生したい場合に、このうちの「再生ボタン」を押下する（クリックする）操作を行うことによって、再生状態となり、通話音声再生処理が開始される。なお後述するように、第１の移動軌跡など地図上に表示されたＵＩ（ＵＩ部品）をクリックすることにより、再生状態に遷移してもよい。通話音声再生処理の詳細手順を図９のフローチャートに示す。
【００５０】
まずステップＳ３００において、処理部１３は、処理対象の通話を選択する。具体的には、処理対象の通話ＩＤを１つ選択する。通話リストｄ１１０で１つの通話のみが選択されている場合には、それを処理対象にすればよい。また通話リストｄ１１０で複数の通話が選択されている場合には、その中から再生処理が必要な（未処理の）通話を１つ選択する。例えば、通話ＩＤが小さい順あるいは通話ＩＤが大きい順に、未処理の通話を１つ選択すればよい。例えば、通話リストｄ１１０において通話ＩＤ「９７」、「９６」、「９５」の３つの通話が選択された場合、所定のルール（通話開始日時の早い順、または、遅い順など）に従って再生順序を決定し、その順序に従って処理対象の通話を選択する。あるいは、通話リストｄ１１０において、ユーザに複数の通話の再生順序を指定させてもよい。例えば、通話リストｄ１１０において、通話を選択するチェックボックスの横に、再生順序を示す「１」、「２」、「３」等の番号を選択または入力させるためのＵＩを表示し、通話ＩＤ「９６」を１番目、「９７」を２番目、「９５」を３番目に再生する等を指定させてもよい。なお、同一の通話を複数回くり返し再生する「リピート再生」を行ってもよい。その場合は、一度再生した通話であっても未処理の通話として扱われる。
【００５１】
次にステップＳ３１０において、処理部１３は、「再生状態」であるか否かを判定する。「再生状態」とは、「再生ボタン」が押下されて以降、他の再生制御ボタンが押されていない状態であり、通話を再生中の状態である。以降、処理対象の全ての通話の再生が終了するか、あるいは他の再生制御ボタンが押されるまで、「再生状態」が継続する。再生状態は再生モードとも呼ばれる。また音声を再生していない状態は、非再生状態あるいは非再生モードと呼ばれる。再生状態の場合（Ｓ３１０：Ｙｅｓ）は、ステップＳ３２０に進み、そうでない場合（Ｓ３１０：Ｎｏ）は、ステップＳ３５０に進む。
【００５２】
ステップＳ３２０において、通話情報取得部３１は、処理対象の通話の音声データを取得し、再生部３３は、音声処理部１２を制御して、通話情報取得部３１で取得された音声データを再生する。再生部３３は処理部１３に含まれるため、処理部１３が音声データを再生するともいえる。さらに、通話情報取得部３１は処理部１３に含まれるため、処理部１３が音声データを取得し再生するともいえる。具体的には、通話情報取得部３１が、ステップＳ３００で選択された処理対象の通話ＩＤに対応する通話データ本体（音声データ）のＵＲＬを通話情報ＤＢ２１から読み出し、そのＵＲＬに従って音声データを取得する。典型的には、通話データ本体は通話データ格納部１４に格納されており、通話情報ＤＢ２１のＵＲＬは、通話格納データ格納部１４を示すため、そこから音声データを取得する。ただし、通話情報ＤＢ２１のＵＲＬは、管理装置１００とは異なる他の装置（ファイルサーバ等）を示していてもよい。通話情報ＤＢ２１にＵＲＬではなく音声データ本体が格納されている場合には、そのデータを取得する（読み出す）。この際に、再生位置（通話開始からの経過時間）に応じて、データ本体の先頭からのオフセットを設定し、そのオフセット位置からのデータを読み出す。そして、再生部３３は、時間経過に従って、該当する箇所の音声データを音声処理部１２を介して音声出力装置１９に出力する。例えば、通話開始から１０秒後の音声を再生する場合には、該当する箇所の音声データを特定して読み出し、それを音声出力装置１９に出力する。処理部１３は、ミリ秒あるいはマイクロ秒などの精度で時間を計測できる計時機能を備えており、再生開始からの経過時間と、音声データ内の音声パケット単位に含まれる時間情報とを照合することにより、通話開始から通話終了までの任意の時点における音声を正確に再生することができる。なお、音声再生処理において、音声処理部１２により、暗号化された音声データの復号処理、圧縮音声データの伸長処理、Ｄ／Ａ変換処理などが適宜なされてもよい。
【００５３】
ステップＳ３３０において、処理部１３は、音声の再生に同期させて、各端末装置２００の位置を示す端末アイコンの座標を変更（更新）する。つまり、音声データの再生箇所（通話開始時点からの経過時間）に応じて、端末アイコンの座標を決定し、その座標に端末アイコンを表示する。具体的には、ステップＳ２３０で作成された、処理対象の端末装置に関する第１のベクトルデータを記憶部１５から読み出し、音声の再生箇所（通話開始からの経過時間または日時）に対応する座標情報（座標点）を特定し、その座標点に端末装置２００を示すアイコンを表示する。通話開始からの経過時間に対応する座標情報がない場合には、その前後の時間に相当する座標情報を基に補間処理することにより端末アイコンの位置を算出する。通話開始からの経過時間または日時と、各端末装置２００の移動軌跡を構成する各座標値とを関連付けたデータを用いることにより、通話音声の再生に同期させて端末の位置情報（端末アイコン）を更新しながら表示することが可能になり、端末アイコンをアニメーションのように移動させることができる。また、通話音声に同期させて端末装置２００の位置情報を表示することによって、端末装置２００の移動速度や移動速度の変化についても、ユーザが直感的に把握できるようになる。このように、通話データの再生に同期して、表示位置が更新される端末アイコン等の図形を「第１の図形」あるいは「第１のアイコン」と呼ぶ場合もある。
【００５４】
図１０に再生状態における画面表示の一例を示す。本図は、図６の通話リストｄ１１０において、通話ＩＤ「９７」の通話が選択された後、再生状態となった位置情報パネルｄ１３０を示している。音声の再生が開始されると、再生中の音声箇所に対応する端末装置２００の位置を示す、端末装置を模した端末アイコンｄ１４１〜ｄ１４３が表示される。つまり、図６の位置情報パネルｄ１３０に対して、端末アイコンｄ１４１〜ｄ１４３が追加されている。端末種別アイコンｄ１５１〜ｄ１５３、第１の移動軌跡ｄ１６１〜ｄ１６３、第２の移動軌跡ｄ１７１〜ｄ１７３については、図６と同様である。
【００５５】
端末「１」は、通話開始時には、端末種別アイコンｄ１５１の位置にいたが、通話中に移動し、現在再生中の音声箇所が発話された時点には、端末アイコンｄ１４１の位置にいたことを示している。また通話が終了した時点には、第１の移動軌跡（白抜き矢印）ｄ１６１の矢印の先端の位置にいたことを示している。つまり、端末「１」の端末アイコンｄ１４１は、通話開始時には、第１の移動軌跡の矢印線の根元に位置するが、時間の経過とともに、第１の移動軌跡の先端に向けて移動する。端末「２」の端末アイコンｄ１４２、端末「３」の端末アイコンｄ１４３についても同様である。通話ＩＤ「９７」は、通話時間が３分間であり、図１０における端末アイコンｄ１４１〜ｄ１４３は、通話開始から２分３０秒が経過した時点の各端末装置２００の位置を示している。端末ＩＤ「１」において、端末アイコンｄ１４１の位置が、第１の移動軌跡ｄ１６１の前半に位置することから、この時点までの移動速度は比較的遅く、この時点以降の移動速度が上がっていることが分かる。端末「２」の移動状況についても同様である。一方、端末ＩＤ「３」においては、端末アイコンｄ１４３の位置が、第１の移動軌跡ｄ１６３の先端に近いことから、この時点の前と後とで、移動速度は大きくは変化していないことが分かる。
【００５６】
通話開始からこの時点（通話開始から２分３０秒後）までの通話音声は、特に緊急性のない通常の会話であったが、この時点の再生音声が、「緊急事態が発生したので、全員急いで北部エリアにある×××地点に集まって欲しい」であったとする。端末ＩＤ「１」と「２」は、この直後に進行方向を北向きに変えており、かつ、移動速度が上がっていることから、通話内容の指示に従って、迅速に行動したという結論が得られる。一方、端末ＩＤ「３」は、この時点の直後に進行方向を変えるチャンス（交差点）があったのにも関わらず、通話終了まで進行方向を変えておらず、移動速度も特に速くなっていないことが分かる。このため、端末ＩＤ「３」は、通話内容の指示とは異なり、迅速には行動していないという結論が得られる。
【００５７】
図９のフローチャートに戻って説明を続ける。ステップＳ３４０において、処理対象の通話の音声データの最後まで再生されたか否かを判定する。最後まで再生された場合（Ｓ３４０：Ｙｅｓ）、ステップＳ４４０に進む。最後まで再生されていない場合（Ｓ３４０：Ｎｏ）、ステップＳ３１０に戻って処理を繰り返す。従って、通話音声が終了するまで再生中の状態が継続する。
【００５８】
ステップＳ３５０において、処理部１３は、早送りまたは早戻し状態であるか否かを判定する。具体的には、早送りボタンまたは早戻しボタンが押された状態であるか否かを判定する。早送り／早戻し状態である場合（Ｓ３５０：ＹＥＳ）、ステップＳ３６０に進み、そうでない場合（Ｓ３５０：Ｎｏ）、ステップＳ３９０に進む。
【００５９】
ステップＳ３６０において、処理部１３は、早送りまたは早戻しボタンの状態に応じて、音声の再生位置を変更する。例えば、早送りボタンが短時間１回だけ押された場合は、５秒再生位置を進める。また、やや長く押された場合は１０秒進めるようにしてもよい。また、早送りボタンの押下が持続している間に、音声を実時間よりも短時間で出力する早送り再生（Ｎ倍速再生）を行ってもよい。早戻しボタンについても同様である。
【００６０】
ステップＳ３７０において、処理部１３は、再生位置の変更に応じて、端末アイコンを移動させて描画する。例えば、再生位置が通話開始から３０秒後の位置から４０秒後の位置に１０秒だけ進んだ場合は、通話開始から４０秒後における各端末装置２００の位置に対応するように、各端末アイコンの表示位置（座標点）を移動させる。
【００６１】
なお、ユーザは第１の移動軌跡上で自由に端末アイコンの位置を変えることができ、変更された端末アイコンの位置に応じて、音声の再生位置が変更される。また、１つの端末アイコンの位置を変えると、それと連動して、他の端末アイコンの位置が変わる。例えば図１０において、ユーザは第１の移動軌跡ｄ１６１上の任意の位置に端末「１」の端末アイコンｄ１４１を移動させることができる。ユーザが端末アイコンｄ１４１の位置をある交差点に合せた場合、端末「１」がその交差点に存在した時点の音声が再生される。また、端末「２」の端末アイコンｄ１４２は、その時点における端末「２」の位置に相当する位置に自動的に移動する。端末「３」の端末アイコンｄ１４３についても同様である。このようなＵＩを提供することにより、ユーザは、通話音声と関連付けて、各端末装置２００の位置および移動状況の変化を詳細に把握することができる。なお、音声再生中に移動させる端末アイコンは、図１０に示す形状に限らず、他の表示形態であってもよい。例えば、スライダーのノブのような簡易な形態でもよく、端末ＩＤ（番号）を示すアイコンでもよく、端末ＩＤごとに定められた表示形態（色、形状、模様など）をもつアイコンでもよい。また、端末装置２００を使用するユーザの顔画像、似顔絵、ユーザごとに設定された図形等を示すアイコンであってもよい。
【００６２】
ステップＳ３８０において、処理部１３は、再生位置が処理対象の音声データの最後に達したか否かを判定する。音声データの最後に達した場合（Ｓ３８０：Ｙｅｓ）、ステップＳ４４０に進む。音声データの最後に達していない場合（Ｓ３８０：Ｎｏ）、ステップＳ３１０に戻って処理を繰り返す。
【００６３】
ステップＳ３９０において、処理部１３は、一時停止ボタンが押されたか否かを判定する。一時停止ボタンが押された場合（Ｓ３９０：ＹＥＳ）、ステップＳ４００に進み、押されていない場合（Ｓ３９０：Ｎｏ）、ステップＳ４１０に進む。ステップＳ４００において、処理部１３は、現在の再生位置を記憶部１５に記憶し、音声データの再生を停止する。一時停止ボタンが押された後、ユーザが、一時停止ボタンをもう一度押す、あるいは再生ボタンを押す等の所定の操作を行った場合、処理部１３は、再生位置を記憶部１５から読み出し、その位置から音声を再生する。ステップＳ４００からはステップＳ３１０に戻り処理を繰り返す。
【００６４】
ステップＳ４１０において、処理部１３は、停止ボタンが押されたか否かを判定する。停止ボタンが押された場合（Ｓ４１０：Ｙｅｓ）、ステップＳ４２０に進む。停止ボタンが押されていない場合（Ｓ４１０：Ｎｏ）、ステップＳ３１０に戻って処理を繰り返す。ステップＳ４２０において、処理部１３は、処理対象の通話の音声再生を停止する。
【００６５】
ステップＳ４３０において、処理部１３は、処理対象の通話に係る端末アイコンを初期化する。初期化の方法としては２つあり、１つは端末アイコンの消去（非表示）である。つまり、再生中でない通話に係る端末アイコンを非表示にする方法である。図６の位置情報パネルｄ１３０は、この方法の表示例であり、再生開始前に端末アイコンが表示されていない。もう１つは、通話の開始時点（第１の移動軌跡の根元）に端末アイコンを移動させる方法である。つまり、非再生状態であっても端末アイコンを表示する方法であり、非再生モードの端末アイコンを表示する方法である。例えば図１０において、端末「１」の端末アイコンｄ１４１を丸型のアイコンｄ１５１に重ねて表示する。また、処理対象の通話の再生が終了し、端末アイコンを引き続き表示する場合に、再生中（再生モード）の端末アイコンの表示形態と、非再生時（非再生モード）の端末アイコンの端末アイコン）の表示形態を変えてもよい。例えば図１０において、再生モードの端末アイコンｄ１４１〜ｄ１４３が目立つように、「赤」などの彩度の高い色、あるいは背景の地図との違いが明確になるように透明度（透過度）の低い色で表示してもよい。一方、非再生モードの端末アイコンｄ１４１〜ｄ１４３が目立たないように、「グレー」などの彩度の低い色、あるいは背景の地図が透けて見えるように透明度（透過度）の高い色で表示してもよい。また、再生モードの端末アイコンｄ１４１〜ｄ１４３を相対的に大きなサイズで表示し、非再生モードの端末アイコンｄ１４１〜ｄ１４３を相対的に小さなサイズで表示してもよい。そして、ステップＳ４３０を実行した後、通話音声処理を終了する。つまり、ユーザが再生ボタンを再度操作するまで音声再生を行わない。
【００６６】
ステップＳ４４０において、処理部１３は、処理対象の通話に係る端末アイコンを初期化する。この処理は、上述のステップＳ４３０と同じである。次にステップＳ４５０において、処理部１３は、再生すべき全ての通話の再生処理が完了したか否かを判定する。全ての通話の再生処理が完了した場合（Ｓ４５０：Ｙｅｓ）、処理を終了する。通話リストｄ１１０で、１つの通話のみが選択されており、その通話の再生が完了した場合、ここでＹｅｓとなる。全ての通話の再生処理が完了していない場合（Ｓ４５０：Ｎｏ）、ステップＳ３００に戻って処理を繰り返す。例えば、通話リストｄ１１０で３つの通話が選択され、１番目の通話の再生が終了した場合には、あと２つの通話の再生が残っているので、ここでＮｏとなる。そして、ステップＳ３００において未処理（未再生）の通話が１つ選択され、再生状態が継続しているため、さらにステップＳ３１０からステップＳ３２０に進み、次の通話の音声が再生される。
【００６７】
通話リストｄ１１０で複数の通話が選択された場合、位置情報パネルｄ１３０に、選択された全ての通話に係る端末装置２００の位置情報を表示してもよいし、再生順序が１番目の通話に係る端末装置２００の位置情報のみを表示してもよい。例えば、通話リストｄ１１０において通話ＩＤ「９７」、「９６」、「９５」の３つの通話が選択された場合、この３つの通話に係る全ての端末装置２００の位置情報を表示してもよいし、最初に再生される通話、例えば通話ＩＤ「９５」に係る端末装置２００のみの位置情報を表示してもよい。またこの際に、通話ＩＤ「９５」に係る全ての端末装置２００の位置情報を表示してもよいし、通話ＩＤ「９５」に係る一部の端末装置２００（ただし、２つ以上の端末装置２００）の位置情報を表示してもよい。
【００６８】
また、通話リストｄ１１０で複数の通話が選択された状態で、早送りボタンが長時間（所定の時間以上）押された場合には、次の通話に切り替えて、音声を再生してもよい。具体的には、ステップＳ３５０において早送りボタンまたは早戻しボタンが所定の時間以上押下された状態を検出した場合、ステップＳ３５０からステップＳ４４０に遷移し、処理対象の通話の端末アイコンを初期化した後、ステップＳ３００に進み、次の処理対象の通話を選択する。早送りボタンが押された場合の次の処理対象の通話は、再生順序が１つ後の通話であり、早戻しボタンが押された場合の次の処理対象の通話は、再生順序が１つ前の通話である。例えば、通話リストｄ１１０において通話ＩＤ「９７」、「９６」、「９５」の３つの通話が選択されており、通話ＩＤの小さい順（通話開始日時の早い順）に、「９５」、「９６」、「９７」の順に再生する場合、通話ＩＤ「９５」の再生中に早送りボタンが長時間押された場合、通話ＩＤ「９５」の再生を中止し、次の再生順序である通話ＩＤ「９６」を再生する。その際に、地図表示も「９５」に関する表示から、「９６」に関する表示に切り替えられる。つまり、通話ＩＤ「９５」に係る端末アイコンは初期化され、通話ＩＤ「９６」に係る端末アイコンが再生モードで表示される。また、再生中に処理対象の１つの通話に係る端末装置２００の位置情報を位置情報パネルｄ１３０に表示する場合、位置情報パネルｄ１３０の表示も通話ＩＤ「９５」に関する表示から、通話ＩＤ「９６」に関する表示に切り替えられる。早戻しボタンについても同様であり、通話ＩＤ「９６」を再生中に、早戻しボタンが長時間押された場合には、再生順序が１つ前の通話ＩＤ「９５」の音声再生に切り替わり、位置情報パネルｄ１３０の表示も通話ＩＤ「９５」に切り替える。以上が通話音声再生処理の説明である。
【００６９】
図１１は、通話情報および位置情報を表示するメインウィンドウ（メイン画面）の別の一例である画面ｄ１０１を示す図である。図６の画面ｄ１００との違いの１つは、画面の最上部に「検索パネル」ｄ１０５が表示される点である。図１１に示すように、検索パネルｄ１０５には、通話開始日時の範囲（上限と下限）、通話時間の範囲、通話に係る端末数の範囲、端末装置２００および管理装置１００の緯度の範囲、端末装置２００および管理装置１００の経度の範囲、などの検索条件をユーザに指定させるためのＵＩが表示される。ユーザが、このような通話に関する検索条件を指定し、「検索ボタン」を押すと、検索条件に該当する通話の一覧が、通話リストｄ１１１に表示される。ユーザが任意の検索項目について検索条件を指定することができるが、指定しない（空白の）検索項目があってもよい。指定しない検索項目に関しては、全てのデータが該当すると判定される。各検索項目の上限と下限のうち、一方を指定しなくてもよいし、両方とも指定しなくてもよい。例えば、検索条件を全く指定せずに検索ボタンを押すと、通話情報ＤＢ２１に格納された全てのデータが通話リストｄ１１１に表示される。また、ユーザが複数の検索項目を指定した場合、それらはＡＮＤ条件として扱われて検索が行われる。例えば、通話時間に関して「１分以上かつ３分未満」という条件を指定し、端末数に関して「３台以上」という条件を指定した場合、「通話時間が１分以上かつ３分未満  ＡＮＤ  端末数が３台以上」という検索条件になる。
【００７０】
通話リストｄ１１１は、図６の通話リストｄ１１０と同様である。ユーザは通話リストｄ１１１のチェックボックスにチェックを入れることにより、１つ以上の任意の数の通話を選択することができ、それらを表示対象にし、さらには再生対象とすることができる。図１１に示す通話リストｄ１１１の例では、通話ＩＤ「９７」と「９０」の２つの通話が選択されている。通話ＩＤ「９７」は、発信端末の端末ＩＤが「１」であり、端末数が「３」のグループ通話である。通話ＩＤ「９０」は、発信端末の端末ＩＤが「３」であり、端末数が「３」のグループ通話である。
【００７１】
図１１の再生制御パネルｄ１２１は、図６の再生制御パネルｄ１２０に対応するが、スライダーｄ１８０とノブｄ１８１を表示している点が異なっている。つまり、ノブ付きスライダーを表示している点が異なっている。スライダーｄ１８０は、再生中の通話の開始から終了までを示す。スライダーｄ１８０の左端は、通話開始時点に対応し、スライダーｄ１８０の右端は、通話終了時点に対応する。ノブｄ１８１は、時間経過に従って、スライダーｄ１８０の左端から右端までを移動する。ノブの上部には、再生位置を示す情報（再生位置情報）ｄ１８２が表示される。本図に示す例では「２：００（６７％）」と表示されている。これは、再生中の音声箇所（再生位置）が通話開始から２分が経過した時点の音声であり、通話全体の６７％の位置（相対位置）であることを示している。再生位置情報ｄ１８２は、ノブｄ１８１の移動とともに、表示位置が移動してもよいし、再生位置に係らず同じ位置に表示されてもよい。スライダーｄ１８０の右側には、通話時間を示す情報（通話時間情報）ｄ１８３が表示される。本図に示す例では「３：００（１００％）」と表示されており、これは、再生中の通話全体の長さが「３分間」であることを示している。この状態は、通話リストｄ１１１において選択された通話ＩＤ「９７」と「９０」のうち、長さが「３分間」の通話ＩＤ「９７」が再生中の状態である。
【００７２】
なお、通話リストｄ１１１で複数の通話が選択された場合、再生位置情報ｄ１８２および通話時間情報ｄ１８３は、上述のように再生中の１つの通話に関する情報であってもよいが、複数の通話の合計時間に関する情報であってもよい。例えば、通話ＩＤ「９７」と「９０」の通話時間の合計値（合計通話時間）「３分＋４分４０秒＝７分４０秒」を通話時間情報ｄ１８３に表示してもよい。その場合、ノブｄ１８１の位置および再生位置情報ｄ１８２は、合計通話時間を基準に決定される。例えば、通話開始から合計通話時間の半分の「３分５０秒」が経過した場合に、ノブｄ１８１はスライダーｄ１８０の中点に位置し、再生位置情報ｄ１８２には「３分５０秒（５０％）」と表示される。
【００７３】
図１１の位置情報パネルｄ１３１は、図６の位置情報パネルｄ１３０に対応するが、表示される内容は異なっている。図１１の位置情報パネルｄ１３１では、第１の移動軌跡を矢印線で表示しているが、第２の移動軌跡は表示していない。このように、第２の移動軌跡を表示しなくてもよい。その場合には、ステップＳ１４０の処理を省略できる。また、端末アイコンが上述の端末種別アイコンが示す情報を含んでおり、端末アイコンと端末種別アイコンが一体化している。白抜き矢印線は、通話ＩＤ「９７」に係る３つの端末装置２００の第１の移動軌跡を示している。また、網掛け矢印線は、通話ＩＤ「９０」に係る３つの端末装置２００の移動軌跡を示している。このように、位置情報パネルに複数の通話の情報を表示する場合は、通話ごとに移動軌跡の表示形態を変えると、ユーザが通話の違いを容易に判別できる。端末アイコンｄ２０１は、通話ＩＤ「９７」における発信端末である端末「１」を示すアイコンである。位置情報パネルｄ１３１では、発信端末の端末アイコンは丸型（楕円形）の図形として表示され、再生中には、時間の経過に従って、この端末アイコンが第１の移動軌跡の上を移動する。端末アイコンｄ２０１には２つの番号が表示されているが、上部の「１」は端末ＩＤであり、下部の「９７」は通話ＩＤである。このような表示をすると、ユーザは端末アイコンを見るだけで、どの通話におけるどの端末装置２００の位置情報であるかを容易に把握することができる。四角形の端末アイコンは、受信端末を示す。端末アイコンｄ２０２は四角形であり、上部に「２」、下部に「９７」と表示されている。つまり、端末「２」は通話ＩＤ「９７」の受信端末である。端末アイコンｄ２０３も同様に四角であり、上部に「３」、下部に「９７」と表示されている。従って、通話ＩＤ「９７」の受信端末は端末「２」および「３」であることが容易に分かる。
【００７４】
網掛け矢印線の根元に位置する端末アイコンｄ２１１は、丸型であり、上部に「３」、下部に「９０」が表示されている。つまり、端末アイコンｄ２１１は、通話ＩＤ「９０」の発信端末が端末「３」であることを示している。端末アイコンｄ２１２は、四角形であり、上部に「７」、下部に「９０」が表示されている。つまり、端末アイコンｄ２１２は、端末「７」が通話ＩＤ「９０」の受信端末であることを示している。端末アイコンｄ２１３は、背景が濃色（黒）の四角形であり、内部の文字が白抜きである。背景が白ではなく、濃色のアイコンは、位置情報パネルｄ１３１を表示している装置（自装置）であることを示す。つまり、端末アイコンｄ２１３は、管理装置１００を示している。端末アイコンｄ２１３の四角形であり、上部に「５０」、下部に「９０」と表示されているため、管理装置１００（端末ＩＤ「５０」）は、通話ＩＤ「９０」の受信端末であることを示している。なお、管理装置１００が発信端末である場合には、背景が濃色の丸型アイコンで示される。なお、端末装置２００において画面ｄ１０１を表示する場合には、背景が濃色のアイコンは、画面表示を行う端末装置２００であることを示す。このように、発信端末と受信端末を異なる表示形態で表示するだけでなく、自装置（自端末装置）と他の装置（他の端末装置）とを容易に判別可能なように、異なる表示形態で表示してもよい。
【００７５】
また、複数の通話に関する情報を位置情報パネルｄ１３１に表示する場合、移動軌跡と同様に、通話ＩＤごとに端末アイコンの表示形態を変えてもよい。例えば、通話ＩＤ「９７」の端末アイコンは、輪郭線を「赤」で表示し、通話ＩＤ「９０」の端末アイコンは、輪郭線を「緑」で表示する。また、背景が濃色のアイコンは、それぞれ輪郭線と同じ系統（同じ色相）の色で表示する。また、ユーザが所定の操作を行った場合に、特定の通話に係るＵＩ（アイコン、移動軌跡等）のみを表示したり、特定の通話に係るＵＩを非表示にしたりしてもよい。例えば、ユーザが通話ＩＤ「９０」に係るＵＩ（端末アイコンや移動軌跡など）の上で「左クリック」した場合に、通話ＩＤ「９０」に係るＵＩのみを表示し（表示を残し）、それ以外の通話に係るＵＩを全て削除してもよい（非表示にしてもよい）。また、ユーザが通話ＩＤ「９０」に係るＵＩ（端末アイコンや移動軌跡など）の上で「右クリック」した場合に、通話ＩＤ「９０」に係るＵＩを全て削除し（非表示にし）、それ以外の通話に係るＵＩを全て表示してもよい。また、ユーザが通話に係るＵＩ以外の場所（背景の地図など）をクリックした場合に、非表示状態のＵＩを表示状態にしてもよい。
【００７６】
なお、ユーザはノブｄ１８１の位置を移動することにより、再生位置を任意に変更することができる。ノブｄ１８１の位置が変更された場合、それに連動して、各端末アイコンの位置が変更される。また通話リストｄ１１１で複数の通話が選択され、通話時間情報ｄ１８３に、合計通話時間を表示する場合、ノブｄ１８１の位置に応じて、再生する通話を切り替えてもよい。例えば、ユーザが４つの通話を選択し、合計通話時間の「８０％」の位置にノブｄ１８１を移動させた場合、合計通話時間の「８０％」に該当する通話が３番目の通話であれば、３番目の通話の該当箇所を再生する。
【００７７】
上述の説明では、ユーザが再生制御パネルｄ１２１を操作することにより、再生開始、再生停止、再生位置の変更等の処理を行ったが、これに限らず別の方法を用いてもよい。例えばユーザが、位置情報パネルに表示された端末種別アイコンや第１の移動軌跡を示す矢印線などの図形（アイコン）をクリックした場合に、その図形（アイコン）に対応する通話の音声を再生してもよい。また、端末アイコンを位置情報パネルに常に表示するようにした上で、ユーザが端末アイコンをクリックした場合に、その端末アイコンに対応する通話の音声を再生してもよい。また、ユーザが再生中のアイコン（端末アイコンまたはその他の図形）を１回クリックした場合に、再生を一時停止し、もう１回クリックした場合に、再生を再開する等の処理を行ってもよい。さらに、端末アイコンをダブルクリックすることにより、再生位置を通話開始の位置に戻し、端末アイコンを初期化する処理を行ってもよい。また、ユーザが第１の移動軌跡の先端付近を長押しした場合に、早送り再生し、第１の移動軌跡の根元付近を長押しした場合に、早戻し再生してもよい。また、端末アイコンを第１の移動軌跡の任意の位置にドラッグして移動させた後に、その端末アイコンまたはその近傍エリアをクリックすることにより、その位置（任意の位置）から音声を再生できるようにしてもよい。その場合、端末アイコンによって指定された再生位置にしたがって、再生制御パネルｄ１２１のノブｄ１８１の位置と、再生位置情報ｄ１８２を更新する。
【００７８】
上述の説明では、基本的に音声を実時間（１倍速）で再生したが、実時間と異なる速度で音声を再生してもよい。例えば、再生制御パネルｄ１２０に、「１／２倍速再生」、「２倍速再生」、「３倍速再生」などの操作ボタンを用意し、ユーザが音声を再生するスピードを選択できるようにしてもよい。実時間よりも速いスピード（短い時間）で音声データを再生することにより、ユーザは通話の内容および各端末装置２００の移動状況を短時間で効率よく確認することができる。一方、実時間よりも遅いスピード（長い時間）で音声データを再生することにより、通話内容および各端末装置２００の移動状況を詳細に確認することができる。
【００７９】
また通信システム８００が、通話に係る複数のユーザ（端末装置２００および管理装置１００のユーザ）それぞれが発話した音声データをユーザごとに（個別に）記録し保存する機能を備える場合に、管理装置１００のユーザが所定の操作を行うことにより、各ユーザの音声データの音量バランスを調整してもよい。例えば、ユーザが端末「１」の端末アイコンｄ２０１や端末「１」の第１の移動軌跡をクリックして音声再生を開始した場合、端末「１」の音声入力部５５で収音された音声データ（端末「１」のユーザが発話した音声データ）を他の端末で収音された音声データよりも大きな音量で再生してもよい。つまり、ユーザが操作対象としたＵＩに対応する端末装置２００で収音された音声データを相対的に大きな音量で再生してもよい。あるいは、特定の端末アイコンや第１の移動軌跡の近くで、ユーザが入力装置１６のマウスホイール等を操作した場合、その操作に応じて、対応する端末装置２００で収音された音声データの音量を変更してもよい。
【００８０】
また、ユーザが発話した音声データをユーザごとに（個別に）記録できる通信システム８００において、位置情報パネルｄ１３１内の端末アイコンの位置に応じて、音声の定位（空間内の音源定位）を設定してもよい。例えば、端末アイコンが位置情報パネルｄ１３１の左側に位置する端末装置２００で収音された音声データをステレオ音声の左側に定位するように設定し、端末アイコンが右側に位置する端末装置２００で収音された音声データをステレオ音声の右側に定位するように設定する。また、音声を上下方向に定位させることが可能なマルチチャンネルの音声再生システムを用いて、端末アイコンが位置情報パネルｄ１３１の上側に位置する端末装置２００で収音された音声データを上側に定位するように設定し、端末アイコンが下側に位置する端末装置２００で収音された音声データを下側に定位するように設定してもよい。そして、通話中の端末装置２００の位置の変化に応じて、対応する音声データの定位を変化させる。このように音声データを再生することにより、ユーザが視覚から受ける情報と、聴覚から受ける情報の関連性が高くなるため、複数の端末装置２００それぞれの移動状況を、ユーザは非常に直感的に把握することができる。また、複数のユーザが同時に発話した場合であっても、それぞれのユーザの発話内容（通話内容）が聞き取り易い。
【００８１】
また、管理装置１００のユーザが所定の操作を行うことにより、各ユーザの音声データの定位を調整してもよい。ユーザが特定の端末アイコンや第１の移動軌跡に対してクリック等の操作をした場合、対応する端末装置２００で収音された音声データを所定の定位にしてもよい。例えば、操作対象のＵＩに対応する端末装置２００のユーザの音声を聞き取り易いように所定の位置・方向（例えば、センター）に定位させてもよい。
【００８２】
本実施の形態で詳述したＵＩを提供することにより、ユーザは、端末装置２００の移動状況と通話との関係を詳細に調べることができる。例えば、地図上に表示された第１の移動軌跡が急激に変化している箇所を見つけた場合、その箇所よりも少し前の位置に、端末アイコンを移動させて音声を再生すれば、移動軌跡の変化をもたらした原因（通話内容）を特定し易い。
【００８３】
また、地図上に表示されたＵＩを操作することにより再生制御が可能なので、ユーザの利便性が高い。例えばユーザが、特定の端末装置２００において、第１の移動軌跡と第２の移動軌跡との違いが大きいことを発見した場合、その時点でユーザは第１の移動軌跡の近くにマウスポインターを置いている可能性が高い。その端末装置２００の第１の移動軌跡をクリックすることにより再生が開始されるので、操作手順が少なくて済み（マウスの移動距離が短くて済み）、操作性が向上する。
【００８４】
上述の説明では、第１の移動軌跡と第２の起動軌跡とを表示したが、第２の移動軌跡の表示を省略し、第１の移動軌跡のみを表示してもよい。このような表示を行っても、通話内容（音声）と関連付けて、各端末装置２００の移動状況を把握することができ、端末装置２００の移動変化をもたらした原因（通話内容）を容易に特定できる。
【００８５】
また、第１の移動軌跡の上を端末アイコンが移動するようにしたが、さらに第２の起動軌跡の上を端末アイコンが移動するように表示してもよい。つまり、通話終了後の所定期間において、時間経過に応じて各端末アイコンの位置を更新し、アニメーション的に表示してもよい。この際に、通話中と同様に実時間で端末アイコンを移動させてもよいし、実時間よりも短い時間（例えば、１０倍速など）で端末アイコンを移動させてもよい。このような表示を行うことで、ユーザは通話終了後の各端末装置２００の移動状況、端末装置２００ごとの移動速度の違い、移動速度の変化などについて、非常に直感的に把握することができる。
【００８６】
本実施の形態によれば、通話期間の移動軌跡と、通話後の所定時間の移動軌跡とを異なる表示形態で表示するため、通話をトリガーにして、通話に係る複数の端末装置２００の移動状況がどのように変化したかを容易に把握することができる。通話時間および通話後の所定時間は、通話に係る全ての端末装置２００に対して、共通する長さの時間であるため、移動軌跡の長さを比較することにより、各端末装置の移動速度の違いが容易に分かる。また、第１の移動軌跡と第２の移動軌跡の長さを比較することにより、通話後に各端末装置２００の移動速度が速くなったか遅くなったかを容易に判定できる。
【００８７】
また本実施の形態によれば、通話音声の再生に同期させて、各端末装置の位置の変化をアニメーション的に表示するので、通話内容に関連付けて端末装置の動きを容易に把握することができる。このような表示を行うことにより、通話中に端末装置の移動速度が変わったことを容易に把握できる。また、端末装置の動きに変化をもたらした原因である通話内容を容易に特定できる。また、通話内容（指示等）に従って、各端末装置が行動したか否かを容易に検証できる。
【００８８】
＜実施の形態２＞
上述したように、実施の形態１の処理により、通話内容と端末装置２００の移動状況との関係を詳細に調べることができる。しかし、通話期間あるいは通話後の所定期間における端末装置２００の移動距離が短い等の場合には、地図上で移動軌跡が点に近い形状で表示されてしまい、ユーザは端末装置２００の移動状況を把握し難い。本実施の形態では、このような場合でも、ユーザに対して分かり易い情報を提供する処理を行う。
【００８９】
本実施の形態においても実施の形態１と同様に、通話リストの中から選択された１つ以上の通話を対象に描画処理を行う。本実施の形態における表示の一例を図１２に示す。本図は、図６に示す通話リストｄ１１０において通話ＩＤ「９６」に係る２つの端末装置２００が選択された場合の位置情報パネルｄ１３２の表示例を示す図である。位置情報パネルｄ１３２は、図６における位置情報パネルｄ１３０および図１１における位置情報パネルｄ１３１に対応する画面領域である。位置情報パネルｄ１３２の上部には、「通話ＩＤ：  ９６、通話タイプ：  二者間、通話時間：  ２分４０秒、開始日時：  ２０１８/１０/０１  ０９：４４：００  終了日時：  ２０１８/１０/０１  ０９：４６：４０」といった通話属性情報パネルｄ３００が表示されている。ここで通話ＩＤ「９６」は、端末「１」と端末「２」の２つの端末装置２００によって行われた通話であるものとする。サブウィンドウｄ３０１は、端末「１」の位置情報を示しており、サブウィンドウｄ３０２は、端末「２」の位置情報を示している。サブウィンドウｄ３０１内には、端末種別アイコンｄ３１１が表示されており、右上部に番号が「１」で四角形の枠が表示されてあるため、端末「１」がこの通話の受信端末であることを示している。サブウィンドウｄ３０２内には、端末種別アイコンｄ３１２が表示されており、右上部に番号が「２」で丸型の枠が表示されてあるため、端末「２」がこの通話の発信（発呼）端末であることを示している。さらにサブウィンドウｄ３０１には、端末「１」の位置を示す端末アイコンｄ３２１、端末「１」の第１の移動軌跡ｄ３３１、端末「１」の第２の移動軌跡ｄ３４１が表示されている。同様にサブウィンドウｄ３０２には、端末「２」の位置を示す端末アイコンｄ３２２、端末「２」の第１の移動軌跡ｄ３３２、端末「２」の第２の移動軌跡ｄ３４２が表示されている。端末アイコンｄ３１２およびｄ３２２は、通話音声と同期して第１の移動軌ｄ３３１およびｄ３３２に沿ってそれぞれ移動する。サブウィンドウの中心座標、すなわち、全体地図（第１の地図）に対するサブウィンドウ（第２の地図）の表示位置は、以下のいずれかの方法で決定する。
【００９０】
（方法１）第１の移動軌跡の根元（端末装置２００の通話開始時の位置）をサブウィンドウの中心座標とする。そして、全体地図（第１の地図）における端末装置２００の通話開始時点の座標と、サブウィンドウの中心座標とを一致させる。つまり、非再生モードの端末アイコンは、サブウィンドウの中心に表示される。図１２のサブウィンドウは、この方法で描画されたものである。すなわち、各サブウィンドウの中心座標は、背景の全体地図における通話開始時点の端末装置２００の座標と同じである。このような表示を行うことにより、ユーザは、各端末の移動状況の詳細を把握することができると同時に、端末同士の相対的な位置関係を容易に把握することができる。例えば、端末「１」からみて、端末「２」は南東方向におおよそ○○キロメートル離れた場所に位置していたことが容易に分かる。
【００９１】
（方法２）第１および第２の移動軌跡を対象にして、最大経度、最小経度、最大緯度、最小緯度を算出し、最大経度と最小経度の平均値（平均経度）、最大緯度と最小緯度の平均値（平均緯度）を算出し、平均経度と平均経度をサブウィンドウの中心座標にする。そして、全体地図における端末装置２００の通話開始時点の座標と、サブウィンドウ内の第１の移動軌跡の根元の座標とを一致させる。この方法で描画した例を図１３に示す。本図は、位置情報パネルｄ１３３を示しており、端末「１」のサブウィンドウｄ４０１と、端末「２」のサブウィンドウｄ４０２が表示されている。サブウィンドウ内に、端末アイコン、第１の移動軌跡、第２の移動軌跡が表示されている点は、図１２と同様である。ただし、サブウィンドウｄ４０１およびｄ４０２では、サブウィンドウｄ３０１およびｄ３０２とは異なり、非再生モードの端末アイコンはサブウィンドウの中心座標と一致していない。この方法は、端末同士の相対的な位置関係が若干分かり難いが、サブウィンドウの大きさを必要最小限に抑えることができる。
【００９２】
サブウィンドウ（第２の地図）の縮尺は、全体地図（第１の地図）の縮尺よりも大きい。すなわち、全体地図よりも拡大された地図が表示される。また、サブウィンドウのサイズは、全体地図よりも小さく、サブウィンドウが全体地図の一部の領域に重ねて（上書き）表示される。サブウィンドウの縮尺を決める方法として、以下のいずれかの方法を用いることができる。
【００９３】
（方法１）サブウィンドウごとに異なる縮尺を用いる方法
サブウィンドウごとに、第１および第２の移動軌跡が全てサブウィンドウに収まるように、サブウィンドウの縮尺とサイズを決定する。この方法は、端末装置の移動速度の違いが大きい場合に適する。例えば、端末「１」のユーザが徒歩で移動しており、端末「２」のユーザが車で移動している場合であっても、それぞれの移動軌跡を明確に表示することができる。
【００９４】
（方法２）複数のサブウィンドウで共通の縮尺を用いる方法
この方法は、各端末装置２００の移動軌跡の長さが、所定の範囲に収まる場合に適する方法である。共通の縮尺を用いることにより、端末装置２００の移動速度の違いを容易に比較することができる。
【００９５】
サブウィンドウを表示した後に、音声再生に同期させて、端末アイコンを移動させること、また端末アイコンの位置を変更することにより、音声の再生位置を変更することが可能であることは、実施の形態１と同様である。
【００９６】
なお、通話に係る一部の複数の端末装置２００が近接している場合には、近接している複数の端末装置を１つのサブウィンドウ内に表示してもよい。また複数の通話に関する端末装置２００を位置情報パネルに表示する場合、ある１つの通話に係る全部の端末装置２００が近接している場合には、それらを１つのサブウィンドウに表示してもよい。また、近接している端末装置２００の通話ＩＤが異なっている場合であっても、異なる通話ＩＤの複数の端末装置２００を１つのサブウィンドウに表示してもよい。つまり、１つのサブウィンドウに１つの端末装置２００の移動軌跡を表示することに限らず、１つのサブウィンドウに複数の端末装置２００の移動軌跡を表示してもよい。
【００９７】
図１４は、複数の端末装置２００を１つのサブウィンドウに表示する一例を示す図である。図１４では、サブウィンドウｄ４１０に、端末「２１」、「２２」、「２３」、「２４」、「２５」の５つの端末装置の位置情報を示している。端末アイコンｄ５０１は、端末「２１」の端末アイコンである。端末「２１」の第１の移動軌跡ｄ５１１は白抜き矢印線で表示されており、第２の移動軌跡ｄ５２１は斜線矢印線で表示されている。端末「２１」の第１の移動軌跡ｄ５１１の内部には「２１」という番号が表示されており、この移動軌跡の端末ＩＤが「２１」であることを示す。他の端末装置２００についても同様であり、基本的には、第１の移動軌跡および第２の移動軌跡が表示される。ただし、第１の移動軌跡の長さが所定値（第１の所定値）よりも短い（小さい）場合には、通話期間において端末装置２００が移動していなかったとみなし、それを示すアイコン（停止アイコン）を表示してもよい。また、第２の移動軌跡の長さが所定値（第２の所定値）よりも短い（小さい）場合には、通話後の所定期間において端末装置２００が移動していなかったとみなし、それを示す停止アイコンを表示してもよい。第１の所定値と第２の所定値は同じであっても、異なっていてもよい。なお、停止アイコンを「第２の図形」あるいは「第２のアイコン」と呼ぶ場合もある。
【００９８】
端末アイコンｄ５０３は、端末「２３」の端末アイコンである。その背景に表示された白抜きの四角形は、端末「２３」の通話期間における停止アイコンｄ５１３（第１の停止アイコン）である。つまり、端末「２３」は第１の移動軌跡の長さが第１の所定値未満であるため、通話期間中の移動がほぼ無かったことを示す第１の停止アイコンが表示される。第１の移動軌跡の長さが第１の所定値未満となるのは、通話期間における端末装置２００の移動距離が所定値（第３の所定値）未満の場合である。そして、この第３の所定値は、サブウィンドウ（第２の地図）の縮尺に応じて決定される。第２の移動軌跡についても同様である。第２の移動軌跡の長さが第２の所定値未満となるのは、通話期間における端末装置２００の移動距離が所定値（第４の所定値）未満の場合である。そして、この第４の所定値は、サブウィンドウ（第２の地図）の縮尺に応じて決定される。第３の所定値と第４の所定値は、同じであっても、異なっていてもよい。例えば、通話期間または通話後の所定期間における端末装置２００の移動距離が短い場合であっても、サブウィンドウの縮尺が大きければ、移動軌跡として表示され、同じ移動距離であっても、サブウィンドウの縮尺が小さければ停止アイコンとして表示される。つまり、端末装置２００の移動距離に相当する画面上の長さが相対的に長い場合には、移動軌跡として表示され、相対的に短い場合には停止アイコンとして表示される。
【００９９】
本図に示す例では、第１の停止アイコンは白抜き四角形で表示されるが、他の表示形態を用いてもよい。端末「２３」は、通話後の所定期間において、第４の所定値以上の距離を移動しているため、第２の移動軌跡ｄ５２３が表示される。従って、端末「２３」は、通話期間中にほぼ停止していたが、通話終了後に、他の端末と比べてかなり速い速度で右向き（東向き）に移動を開始したことが分かる。第２の移動軌跡ｄ５２３の内部には「２３」という端末ＩＤを示す番号が表示されている。このように、第１または第２の移動軌跡が表示される場合は、その内部に端末ＩＤ、通話ＩＤ、ユーザ名などの通話属性情報を表示してもよい。あるいは、端末アイコンや移動軌跡の近くに通話属性情報を表示してもよい。
【０１００】
端末アイコンｄ５０４は、それに対応する第１の移動軌跡に「２４」と表示されていることから分かるように、端末「２４」の端末アイコンである。端末「２４」の第１の移動軌跡の矢印の先にある斜線で塗られた四角形は、端末「２４」の通話後の所定期間における停止アイコンｄ５１４（第２の停止アイコン）である。つまり、端末「２４」の第２の移動軌跡の長さが第２の所定値未満であるため、第２の停止アイコンが表示されている。端末「２４」は、通話期間中は移動していたが、通話終了後の所定期間は、ほぼ停止していたことが分かる。本図の例では、第２の停止アイコンは斜線の四角形で表示されるが、他の表示形態を用いてもよい。また、第１の停止アイコンと第２の停止アイコンは、同じ表示形態であっても、異なる表示形態であってもよい。両者が同じ表示形態であっても、移動軌跡の矢印の根元に位置する場合には、第１の停止アイコンであり、移動軌跡の矢印の先に位置する場合には第２の停止アイコンであると判別できる。
【０１０１】
端末アイコンｄ５０５は、端末「２５」の端末アイコンであり、その背景には網目模様の四角形で停止アイコンｄ５１５が表示されている。停止アイコンｄ５１５は、第１の移動軌跡の長さが第１の所定値未満であり、かつ第２の移動軌跡の長さが第２の所定値未満であることを示しており、第３の停止アイコンとも呼ばれる。つまり、通話期間および通話後の所定期間において、端末「２５」はほぼ停止していたことを示す。本図における例では、第３の停止アイコンは、網目模様の四角形で表示されるが、他の表示形態を用いてもよい。端末「２５」に関しては、移動軌跡が表示されないため、端末ＩＤを示す番号は、移動軌跡とは別に丸型の端末種別アイコンｄ５３５の内部に表示される。図９のｄ１３０と同様に、丸型の端末種別アイコンは、通話における発信端末を示す。つまり、図１４の例において、通話の発信端末は、端末「２５」である。
【０１０２】
第１または第３の停止アイコンを表示した場合、音声再生中に端末アイコンの位置は変わらない。このため、再生位置を示すためのＵＩ（スライダー等）を別途表示してもよい。図１５は、通話音声を再生中のサブウィンドウｄ４１１の表示例である。図１４のサブウィンドウｄ４１０がある通話の音声再生前の状態であり、図１５のサブウィンドウｄ４１１は、同じ通話の音声再生中の状態を示す。図１５において、端末アイコンｄ５０１、ｄ５０２、ｄ５０４はそれぞれ音声の再生箇所（再生位置）の時点における各端末装置２００の位置を示すように、第１の移動軌跡の上を移動している。一方、第１の停止アイコンが表示された端末「２３」に関しては、停止アイコンに関連付けてスライダーｄ５４３とノブｄ５５３が表示されている。スライダーｄ５４３は、通話の開始から終了までを示しており、スライダーｄ５４３の左端が通話開始時点、右端が通話終了時点に対応する。つまり、通話中の時間経過に従って、ノブｄ５５３は、スライダーｄ５４３の左端から右端に向けて移動する。スライダーｄ５４３の中点は、通話時間の半分の時点を示す。例えば、２分間の通話であれば、通話開始から１分間が経過して時点を示す。つまり、スライダーｄ５４３上の各点は、時間に比例するように配置されており、ノブｄ５５３は、スライダーｄ５４３上を時間経過に従って等速度で移動する。一方、端末アイコンは、第１の移動軌跡上を時間経過に従って等速度で移動するとは限らない。例えば、通話中に端末装置２００が停止した場合には、それに応じて、端末アイコンも停止する。
【０１０３】
ユーザはノブｄ５５３の位置を変えることにより、通話の再生位置を任意に変えることができる。ユーザがノブｄ５５３を移動させると、それに連動して、端末アイコンｄ５０１、ｄ５０２、ｄ５０４、およびノブｄ５５５の位置も変更される。また、ユーザがある１つの端末アイコンの位置を変更すると、それに連動して、他の端末アイコンおよび各ノブの位置も変更される。つまり、ユーザが再生位置を変更すると、各端末装置２００の位置を示すＵＩ、および再生位置を示す各ＵＩの位置が連動して変更される。上述したように、ユーザは再生制御パネルｄ１２０およびｄ１２１を操作することによっても、再生位置を変更することができる。そのような場合でも、再生位置の変更が、各端末アイコンおよび各ノブの位置に自動的に反映される。
【０１０４】
第３の停止アイコンが表示された端末「２５」についても、端末「２３」と同様に、スライダーｄ５４５とノブｄ５５５が表示される。上述の説明と同様に、ユーザがノブｄ５５５を移動させると、それに連動して、端末アイコンｄ５０１、ｄ５０２、ｄ５０４、およびノブｄ５５３の位置も変更される。スライダーｄ５４５の表示形態は、スライダーｄ５３５の表示形態と同じであってもよく、異なっていてもよい。例えば、停止アイコンの種別に応じて（第１の停止アイコンであるか第３の停止アイコンであるかに応じて）、スライダーの表示形態を変えてもよい。あるいは、端末装置２００ごとに、停止アイコンの表示形態を変えてもよい。各ノブの表示形態についても同様である。また、本図に示すように、第１または第３の停止アイコンを表示した場合、端末アイコンの表示を省略してもよい。
【０１０５】
なお上述の説明では、第１の移動軌跡と第２の移動軌跡とを表示したが、第２の移動軌跡の表示を省略し、第１の移動軌跡のみを表示してもよい。この場合、第１の移動軌跡が収まるように、サブウィンドウの縮尺とサイズを決定すればよい。上述の平均経度、平均緯度を算出する際には、第１の移動軌跡のみを対象にすればよい。このような表示を行っても、ユーザは、通話内容（音声）と関連付けて、各端末装置２００の移動状況を把握することができ、端末装置２００の移動の変化をもたらした原因（通話内容）を容易に特定できる。
【０１０６】
また上述の説明では、サブウィンドウにおいて、停止アイコンと、ノブ付きのスライダーを表示する例を説明したが、サブウィンドウ（第２の地図）に限らず、これらを位置情報パネル（第１の地図）に表示してもよい。例えば、図１０の位置情報パネルｄ１３０や図１１の位置情報移動パネルｄ１３１において、停止アイコンと、ノブ付きのスライダーを表示してもよい。移動軌跡が非常に短い端末装置２００についは、移動軌跡ではなく停止アイコンを表示するため、端末装置２００の移動状況が直感的に分かり易い。また、停止アイコンに対応させてノブ付きのスライダーを表示するため、ユーザが停止した端末装置２００に注目している場合であっても、通話期間全体における現在再生されている位置（相対的な位置）を把握し易い。また、ノブの位置を変更することにより再生位置が変更されるので、ユーザが停止した端末装置２００に注目している場合であっても、再生位置を変更し易い。また、音声再生に同期して、第１の移動軌跡上を移動する端末アイコンと、スライダー上を移動するノブといった２種類のＵＩを表示するため、ユーザは通話全体における再生箇所の時間的な位置と、端末装置２００の空間的（地理的）な位置との関連性を容易に把握できる。例えば、ノブがスライダーの中点に近い位置にあれば、ユーザはその時点で通話時間のおおよそ半分が経過していることを容易に把握できる。それと同時に、ユーザは端末アイコンの位置を見ることにより、その時点における端末装置２００の地理的な位置を容易に把握できる。
【０１０７】
なお、ユーザが所定の操作を行ったときに、サブウィンドウを表示したり、サブウィンドウを非表示にしたりしてもよい。例えば、図１０の位置情報パネルｄ１３０に示すように、初期状態ではサブウィンドウを表示せず、全体地図のみを表示する。そして、ユーザが全体地図に表示された端末アイコン、停止アイコン、第１の移動軌跡、第２の移動軌跡などのＵＩをダブルクリックした場合に、そのＵＩに対応するサブウィンドウを表示してもよい。例えばユーザは、全体地図上の移動軌跡が小さくてその形状が分からない場合に、サブウィンドウを表示し、拡大した移動軌跡を表示することができるため、ユーザの利便性が向上する。あるいは、ユーザが所定の操作（移動軌跡に対するダブルクリック等）を行った場合に、サブウィンドウを表示せずに、全体地図上の移動軌跡を一時的に拡大表示してもよい。また、ユーザがサブウィンドウの所定の領域、例えば、端末アイコンや移動軌跡以外の背景領域をダブルクリックした場合に、そのサブウィンドウをクローズ（非表示に）してもよい。あるいは、サブウィンドウを閉じるためのＵＩをサブウィンドウの上部等に表示してもよい。このようなＵＩを提供することにより、ユーザが必要なときのみサブウィンドウを表示し、不必要なときにサブウィンドウを非表示にできるため、画面の表示スペースを節約することができる。このようなＵＩを提供することにより、不必要な情報を表示することを防止するこができるため、ユーザの視認性が向上する。
【０１０８】
本実施の形態の表示方法を用いることにより、通話に係る端末装置２００同士の距離が離れている場合や、移動軌跡の長さが短い場合であっても、端末装置２００の相対的な位置関係と、各端末装置２００の詳細な移動状況とを同時に把握することができる。
【０１０９】
＜実施の形態２の変形例＞
実施の形態２の変形例では、１つの通話に係る複数の端末の移動軌跡の長さの差が大きい場合、全体地図（第１の地図）の縮尺と、第１または／および第２の移動軌跡の長さとに応じて、サブウィンドウ内に移動軌跡を表示するか、全体地図上に移動軌跡を表示するかを端末装置２００ごとに決定する。図１６は、本変形例を説明するための図である。図１６に示す位置情報パネルｄ６００において、端末「１」、「２」、「３」の３つの端末装置２００の位置情報が表示されている。本図において、端末装置２００の通話期間における移動距離が所定値未満である場合に、端末装置２００の位置情報を全体地図に表示している。例えば、全体地図の縮尺が１万分の１であり、端末「１」の第１の移動軌跡の長さが１００ｍである場合は、第１の移動距離は地図上で１ｃｍの長さに相当する。本図においては、第１の移動軌跡の長さが全体地図上で３ｃｍ未満の場合（第１の移動距離が３００ｍ未満の場合）はサブウィンドウ内に表示するという規則を用いており、端末「１」の端末アイコンｄ６２１、第１の移動軌跡ｄ６３１、第２の移動軌跡ｄ６４１はサブウィンドウｄ６１０内に表示されている。サブウィンドウｄ６１０内の右上部には、端末「１」の端末種別アイコンｄ６５１が表示されている。端末種別アイコンｄ６５１は丸型なので、端末「１」がこの通話の発信端末であることを示している。
【０１１０】
一方、端末「３」の第１の移動軌跡の長さが１０００ｍであり、全体地図上で１０ｃｍの長さに相当するため、端末「３」の端末アイコンｄ６２３、第１の移動軌跡ｄ６３３、第２の移動軌跡ｄ６４３は、端末種別アイコンｄ６５３は、全体地図に表示されている。本図に示すように第１の移動軌跡と第２の移動軌跡を両方表示する場合、再生中の端末アイコン操作の容易性を考慮して、上述のように第１の移動軌跡の長さのみを用いて判定してもよい。あるいは、第１の移動軌跡の長さと、第２の移動軌跡の長さの合計値を用いて判定してもよい。端末種別アイコンｄ６５３は、四角形なので、端末「３」はこの通話の受信端末であることを示している。
【０１１１】
また、端末「２」は、停止アイコン（第３の停止アイコン）ｄ６３２として表示されている。端末「２」に関する第１および第２の移動軌跡が表示されていないことと、停止アイコンが網目模様であることから、第１の移動軌跡の長さが第１の所定値未満であり、かつ第２移動軌跡の長さが第２の所定値未満であることが分かる。このように、サブウィンドウではなく、全体地図に停止アイコンを表示してもよい。また例えば、第１の移動距離が１０ｍ未満の端末装置は、通話中に停止していたとみなし、停止アイコンを全体地図上に表示してもよい。第１の移動軌跡と第２の移動軌跡を両方表示する場合は、第１の移動軌跡の長さと、第２の移動軌跡の長さの合計値を用いて停止アイコンにするか否かを判定してもよいし、第１および第２の移動軌跡のうちの長い方を用いて判定してもよい。端末種別アイコンｄ６５２は、四角形なので、端末「２」はこの通話の受信端末であることを示している。
【０１１２】
なお、図１６のサブウィンドウｄ６１０において、地図は表示されていない。このように、サブウィンドウにおいて、地図を表示せずに、端末アイコンと第１の移動軌跡と第２の起動軌跡を表示してもよい。このような表示を行っても、移動軌跡の形状や通話中と通話後の移動速度の違いなどを容易に把握できる。また、複数のサブウィンドウそれぞれにおいて、地図を表示しない場合であっても、サブウィンドウの縮尺を共通にすることにより、端末装置２００ごとの移動速度の違いを容易に把握することができる。また、サブウィンドウにおいて、第２の移動軌跡を表示しなくてもよい。
【０１１３】
実施の形態２の変形例の処理を行うことにより、通話に係る複数の端末装置のうち、必要な端末装置についてのみサブウィンドウ表示を行うことができ、サブウィンドウの数を無駄に増やすことがないので、分かり易い表示ができる。
【０１１４】
＜実施の形態３＞
実施の形態１および実施の形態２においては、通話情報および位置情報を示す画面を管理装置１００に接続された表示装置１７に表示したが、本実施の形態では、端末装置２１０の表示部５９に表示する。また、実施の形態１および実施の形態２においては、音声通話を行う通信システムを説明したが、本実施の形態では、映像通話（ビデオ通話）を行う通信システム８００を説明する。通話音声データおよび通話映像データは、通話内容を示すデータであり、これらを総称して、通話データ、通話内容データ、または通話コンテンツデータと呼ぶ場合もある。本実施の形態における通話データは、音声データと映像データの組み合せであり、音声を含む映像データであるともいえる。ただし、通話内容をテキスト化して字幕で表示する場合には、映像データは音声を含まなくてもよい。
【０１１５】
図１７は、本実施の形態における端末装置２１０の構成（機能ブロック）を示す図である。図３に示す実施の形態１における端末装置２００との違いは、制御部５４が位置情報取得部６０、通話情報取得部６１、地図情報取得部６２、再生部６３、映像処理部６５を含む点と、映像入力部７０を備える点である。位置情報取得部６０は管理装置１００の位置情報取得部３０に相当し、通話情報取得部６１は管理装置１００の位置情報取得部３１に相当し、地図情報取得部６２は管理装置１００の位置情報取得部３２に相当し、再生部６３は管理装置１００の位置情報取得部３３に相当する。映像入力部７０は、端末装置２１０を使用するユーザの顔画像等の動画を撮像（撮影）し、映像信号を制御部５４に対して供給する。さらに静止画を撮像してもよい。映像処理部６５は、映像入力部７０から入力された映像信号、通信部５１を介して他の端末装置２１０や管理装置１００から取得した映像信号、再生部６３から指定された映像データなどを対象にして、映像信号（映像データ）の圧縮、伸長、変換等の処理を行う。映像入力部７０で入力された映像、および他の端末装置２１０や管理装置１００から取得した映像は、表示部５９に表示することができる。端末装置２１０の表示部５９に、通話情報および位置情報を示す画面を表示する方法として、以下のいずれかの方法を用いることができる。
【０１１６】
（方法１）端末装置が表示制御データを作成する方法
方法１では、端末装置２１０が管理装置１００から必要なデータを取得し、端末装置２１０において画面を描画するための表示制御データを作成する。すなわち、図７のフローチャートに示した処理に相当する処理を端末処理２１０が実行する。具体的には、まず通話情報取得部６１が通信部５１を介して、管理装置１００から必要な通話属性情報を取得し、図６に示す通話リストｄ１１０を表示部５９に表示する。端末装置２１０のユーザは通話リストｄ１１０の中から処理対象の処理対象の通話を１つ以上選択する。
【０１１７】
ステップＳ１００に相当するステップＳ１００Ａにおいて、通話情報取得部６１は、通信部５１を介して管理装置１００から、通話リストｄ１１０で選択された通話に関する通話属性情報を取得する。次にステップＳ１１０に相当するステップＳ１１０Ａにおいて、位置情報取得部６０は、通信部５１を介して管理装置１００から、通話リストｄ１１０で選択された通話に係る各端末装置の位置情報を取得する。ステップＳ１５０に相当するステップＳ１５０Ａにおいて、地図情報取得部６２が通信部５１を介して管理装置１００から、必要な地図データを取得した上で、制御部５４は、移動軌跡データと地図データとを合成する。図７に示す他のステップにおいては、管理装置１００の処理部１３に代えて、端末装置２１０の制御部５４を実行主体にすればよい。このような処理の結果、図６に示すメインウィンドウ（メイン画面）ｄ１００、あるいは図１１に示すメインウィンドウ（メイン画面）ｄ１０１に相当する画面を表示部５９に表示することができる。
【０１１８】
端末装置２１０のユーザが操作部５３を用いて所定の操作を行うと、制御部５４は、図９のフローチャートに示す処理に相当する処理を実行する。ただし、本実施の形態では、通話音声だけでなく、通話に係る映像も同時に再生される。通話に係る映像とは、通話時に自端末装置２１０あるいは他の端末装置２１０あるいは管理装置１００から送信された映像である。典型的には、端末装置２１０または管理装置１００を使用するユーザの顔画像や端末装置２１０の周囲の風景である。通話情報取得部６１は、通信部５１を介して管理装置１００、他の端末装置２１０、あるいは他の装置から、通話の音声データおよび映像データを取得する。再生部６３は、音声処理部５２および映像処理部６５を制御して、通話情報取得部６１が取得した音声データおよび映像データを再生する。この第１の方法は、端末装置２１０のユーザの操作に応じて、位置情報パネルの表示を迅速に変えることができる等、使い勝手のよいＵＩを提供することが可能である。一方、端末装置２１０の処理量が多くなり、端末装置２１０に比較的高い処理能力が必要となる。後述するように、方法１を実行する端末装置２１０は、「情報処理装置」であるといえる。
【０１１９】
（方法２）管理装置が作成した表示制御データを端末装置が取得する方法
方法２では、管理装置１００が表示制御データを作成し、端末装置２１０は管理装置１００から表示制御データを取得し、それを表示部５９に表示する。具体的には、端末装置２１０が管理装置１００に対して、表示制御データを要求する。図７のフローチャートのステップＳ１６０に相当するＳ１６０Ａにおいて、管理装置１００は通信部１１を介して、表示制御データを端末装置２１０に送信する。端末装置２１０は、表示制御データを受信し、表示部５９に表示する。表示制御データは、異なるハードウェア間で互換性のあるデータ形式であることが望ましい。表示制御データは、例えば、ＨＴＭＬ（Hyper Text Markup Language）データ、画像データ、スクリプト言語などの組み合せで構成される。そして、端末装置２１０でインターネットブラウザ等のアプリケーションを実行して、表示制御データを解釈し、表示部５９に表示する。通話情報取得部６１および再生部６３の動作は、第１の方法と同様である。この第２の方法は、端末装置２１０の処理量が少なくて済み、端末装置２１０の処理能力が比較的低くても実行可能である。一方、端末装置２１０のユーザの操作に応じて画面を更新する際に、応答に時間を要する等、使い勝手の点である程度の制約が生じやすい。
【０１２０】
図１８は、本実施の形態における位置情報パネルｄ７００の表示例を示す図である。本図は、通話に係る２つの端末装置２１０である、端末「１」と「２」の位置情報を示している。端末「１」および「２」は、位置情報パネルｄ７００を表する端末装置（本端末）とは別の端末装置２１０である。映像ウィンドウｄ７１１には、端末「１」の映像入力部７０で撮像された映像（端末「１」のユーザの顔画像等）が表示される。位置情報パネルｄ７００を表する端末装置（本端末）とは別の端末装置である。映像ウィンドウｄ７１２には、端末「２」の映像入力部７０で撮像された映像（端末「２」のユーザの顔画像等）が表示される。再生開始前の映像ウィンドウには、静止画像（通話開始時のユーザの顔画像等）が表示される。再生中の映像ウィンドウに表示される画像（映像）は、時間の経過に従って、更新される。また、端末「１」の第１の移動軌跡ｄ７１２、および端末「２」の第１の移動軌跡ｄ７２２が表示されている。そして、再生中の再生位置の変化に応じて、映像ウィンドウの位置が第１の移動軌跡を移動する。そのため、映像ウィンドウは端末アイコンであるともいえる。上述したように、映像ウィンドウの右上にある端末種別アイコンの形状から、端末「１」が発信端末、端末「２」が受信端末であることが分かる。
【０１２１】
図１８において、第１の移動軌跡とは別に、端末「１」の映像ウィンドウから端末「２」の映像ウィンドウに向けて、縦縞の矢印線ｄ７３０が表示されている。これは、１つの通話に係る複数の端末アイコン（本実施の形態においては映像ウィンドウ）同士を結ぶ線であり、リンクラインとも呼ばれる。本図におけるリンクラインｄ７３０の矢印線の向きは、発信端末から受信端末に向けた向きである。ただし、リンクラインは矢印のない直線でもよく、あるいは双方向の矢印線であってもよい。つまり、リンクラインの表示形態は、本図に示す例に限定されない。リンクラインを表示することにより、端末装置２１０のユーザは、通話に係る複数の端末装置間の位置関係や距離の変化を表示に直感的に把握できる。例えば、再生中に時間の経過に伴って、リンクラインが伸びていれば、端末装置間の距離が遠くなっており、リンクラインが縮まっていれば、端末装置間の距離が近くなっていることが、容易に分かる。
【０１２２】
なお、映像ウィンドウとは別に、画面の所定領域に映像ウィンドウに表示される映像をより大きなサイズで表示してもよい。例えば、図１８の位置情報パネルｄ７００内において端末アイコンや移動軌跡が存在しない領域に、表示位置の固定した映像表示エリアを設けて、そこに表示してもよい。あるいは、位置情報パネルｄ７００とは別の領域に映像表示エリアを設けてもよい。このような表示をすると、端末装置２１０で撮影された映像をより詳細に確認することができる。
【０１２３】
図１９は、本実施の形態における位置情報パネルｄ７００の別の表示例を示す図である。本図においては、１つの通話に係る３つの端末装置２１０である、端末「１」、「２」、「３」の位置情報が表示されている。端末「１」の映像ウィンドウｄ７１１および第１の移動軌跡ｄ７２１、端末「２」の映像ウィンドウｄ７１２および第１の移動軌跡ｄ７２２は、図１８における表示と同様である。端末「３」の映像ウィンドウｄ７１３および第１の移動軌跡ｄ７２３が追加で表示されている。端末「３」の端末種別アイコンは、背景が濃色であり、表示部５９に位置情報パネルｄ７００を表示している端末装置２１０（自端末）が、端末「３」であることを示している。端末種別アイコンが四角形であるのは、端末「３」がこの通話の受信端末であることを示す。つまり、この通話は、端末「１」から端末「２」および「３」に発信されたグループ通話である。このように、端末装置２１０に位置情報パネルｄ７００を表示する際にも、自端末装置と他の装置（他の端末装置および管理装置）を容易に判別可能なように、端末アイコン、端末種別アイコン、第１および第２の移動軌跡などの図形を、自端末装置に係る図形であるか他の装置に係る図形であるかに応じて、それぞれ異なる表示形態で表示してもよい。
【０１２４】
図１９において、リンクラインｄ７４０は、細い矢印線の表示形態で表示されている。矢印の根元が発信端末であり、矢印の先が受信端末であることを示す。端末「１」から出たリンクラインｄ７４０は、途中で２つの線に分岐するが、この分岐点は任意の位置に設定することができる。例えば、３つの映像ウィンドウの重心を分岐点にすればよい。再生中に時間の経過に伴って、リンクラインｄ７４０が移動したり、伸長・収縮したりして表示される。図１９に示すような表示を行うことで、グループ通話においても、ユーザは、通話に係る複数の端末装置間の位置関係や距離の変化を表示に直感的に把握できる。
【０１２５】
なお、本実施の形態で説明した映像ウィンドウやリンクラインなどは、端末装置２１０における表示に限られるものではなく、管理装置１００に接続された表示装置１７に表示してもよい。すなわち、図１８および図１９に示すような映像通話に関する情報を示す画面を管理装置１００に接続された表示装置１７に表示してもよい。また、映像通話に限らず音声通話が行われる通信システムにおいて、実施の形態１、実施の形態２、実施の形態２の変形例で説明した音声通話に関する情報を示す画面を端末装置２１０で表示してもよい。すなわち、図６、図１０〜図１６に示す画面を端末装置２１０の表示部５９に表示してもよい。その場合、端末装置２１０から映像処理部６５および映像入力部７０を省略することができる。
【０１２６】
上記の方法１を実行する端末装置２１０は、表示制御データを作成し、通話データを再生するという点において、管理装置１００と同じである。つまり、通話に係る複数の端末装置２１０の位置情報と通話属性情報を取得し、通話期間における端末装置２１０それぞれの移動軌跡データを作成し、通話データを取得して再生し、通話再生に同期させて端末アイコン等の表示を更新する処理は同じである。両者の違いは、管理装置１００が、表示制御データの作成に必要なデータおよび通話データを自装置の記憶部１５から取得するのに対し、端末装置２１０は、ネットワーク９００および基地局装置３００を介して、管理装置１００からそれらを取得する点である。つまり、必要なデータを取得する際の経路の違いに過ぎない。従って、管理装置１００と端末装置２１０はともに、通話に係る複数の端末装置それぞれの位置に関する情報を、通話内容に関連付けて分かり易く提示する機能、すなわち情報処理機能をもつといえる。このため、管理装置１００と端末装置２１０を総称して「情報処理装置」ということができる。
【０１２７】
以上、本発明を実施の形態をもとに説明した。上記実施の形態は例示であり、それらの各構成要素や各処理プロセスの組合せにいろいろな変形例が可能なこと、またそうした変形例も本発明の範囲にあることは当業者に理解されるところである。本発明は上記実施の形態に限られたものではなく、趣旨を逸脱しない範囲で適宜変更することが可能である。
【符号の説明】
【０１２８】
１００  管理装置、１１  通信部、１２  音声処理部、１３  処理部、
１４  通話データ格納部、１５  記憶部、１６  入力装置、１７  表示装置、
１８  音声入力装置、１９  音声出力装置、２０  位置情報ＤＢ、２１  通話情報ＤＢ、
２２  地図ＤＢ、３０  位置情報取得部、３１  通話情報取得部、
３２  地図情報取得部、３３  再生部、
２００、２１０  端末装置、５１  通信部、５２  音声処理部、５３  操作部、
５４  制御部、５５  音声入力部、５６  音声出力部、
５７  位置情報検出部、５８  記憶部、５９  表示部、６０  位置情報取得部、
６１  通話情報取得部、６２  地図情報取得部、６３  再生部、６５  映像処理部、
７０  映像入力部、
３００  基地局装置、８００  通信システム、９００  ネットワーク
【図１】
2020123133.tif 000003
【図２】
2020123133.tif 000004
【図３】
2020123133.tif 000005
【図４】
2020123133.tif 000006
【図５】
2020123133.tif 000007
【図６】
2020123133.tif 000008
【図７】
2020123133.tif 000009
【図８】
2020123133.tif 000010
【図９】
2020123133.tif 000011
【図１０】
2020123133.tif 000012
【図１１】
2020123133.tif 000013
【図１２】
2020123133.tif 000014
【図１３】
2020123133.tif 000015
【図１４】
2020123133.tif 000016
【図１５】
2020123133.tif 000017
【図１６】
2020123133.tif 000018
【図１７】
2020123133.tif 000019
【図１８】
2020123133.tif 000020
【図１９】
2020123133.tif 000021
【手続補正書】
【提出日】令和1年10月11日(2019.10.11)
【手続補正１】
【補正対象書類名】図面
【補正対象項目名】全図
【補正方法】変更
【補正の内容】
【図１】
2020123133.tif 000022
【図２】
2020123133.tif 000023
【図３】
2020123133.tif 000024
【図４】
2020123133.tif 000025
【図５】
2020123133.tif 000026
【図６】
2020123133.tif 000027
【図７】
2020123133.tif 000028
【図８】
2020123133.tif 000029
【図９】
2020123133.tif 000030
【図１０】
2020123133.tif 000031
【図１１】
2020123133.tif 000032
【図１２】
2020123133.tif 000033
【図１３】
2020123133.tif 000034
【図１４】
2020123133.tif 000035
【図１５】
2020123133.tif 000036
【図１６】
2020123133.tif 000037
【図１７】
2020123133.tif 000038
【図１８】
2020123133.tif 000039
【図１９】
2020123133.tif 000040